(57)【特許請求の範囲】
【請求項１】
コヒーレント光源と、前記コヒーレント光源からの光を分割するビーム分割手段とを有し、情報記録時には、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみが前記記録媒体に照射され、前記記録媒体で生じた回折光が受光素子によって検出されるホログラフィック光情報記録再生装置であって、
情報再生時の前記記録媒体中の前記参照光のパワーは、情報記録時の前記記録媒体中の前記参照光のパワーと前記信号光のパワーとの和より大きいことを特徴とするホログラフィック光情報記録再生装置。
【請求項２】
情報再生時の前記記録媒体中の前記参照光のパワーは、情報記録時の前記記録媒体中の前記参照光のパワーと前記信号光のパワーとの和の２倍より大きいことを特徴とする請求項１に記載のホログラフィック光情報記録再生装置。
【請求項３】
前記ビーム分割手段によって分割される前記参照光と前記信号光とのパワー分配比を変化させる可変手段をさらに備えることを特徴とする請求項１に記載のホログラフィック光情報記録再生装置。
【請求項４】
前記可変手段は、前記パワー分配比を前記記録媒体に応じて変化させることを特徴とする請求項３に記載のホログラフィック光情報記録再生装置。
【請求項５】
前記可変手段は、前記パワー分配比を前記参照光の入射角に応じて変化させることを特徴とする請求項３に記載のホログラフィック光情報記録再生装置。
【請求項６】
前記可変手段は、前記パワー分配比を前記記録媒体に記録される情報の符号化方式に応じて変化させることを特徴とする請求項３に記載のホログラフィック光情報記録再生装置。
【請求項７】
前記ビーム分割手段は、偏光性ビームスプリッタを含むことを特徴とする請求項１に記載のホログラフィック光情報記録再生装置。
【請求項８】
前記ビーム分割手段は、情報再生時に、すべての光パワーを参照光に分配することを特徴とする請求項１に記載のホログラフィック光情報記録再生装置。
【請求項９】
前記記録媒体上に前記ホログラムを記録した後、前記信号光のみを遮断し、前記記録したホログラムからの回折光を前記受光素子で受光して前記ホログラムに記録した情報をベリファイすることを特徴とする請求項１に記載のホログラフィック光情報記録再生装置。
【請求項１０】
情報記録時に前記参照光と前記信号光とが前記記録媒体に入射されるようにパワー分配比を設定し、情報記録後にすべての光パワーを参照光に分配するように前記パワー分配比を変化させる可変手段をさらに備えることを特徴とする請求項９に記載のホログラフィック光情報記録再生装置。
【請求項１１】
前記可変手段は、ＥＯ変調器を含むことを特徴とする請求項１０に記載のホログラフィック光情報記録再生装置。
【請求項１２】
前記受光素子は、前記可変手段がすべての光パワーを参照光に分配するように前記パワー分配比を変化させるときに、蓄積されていた光電荷を一旦放電することを特徴とする請求項１０に記載のホログラフィック光情報記録再生装置。
【請求項１３】
前記可変手段が情報記録時に前記参照光と前記信号光とを前記記録媒体に入射するように前記パワー分配比を設定してホログラムが記録される時間は、前記可変手段が情報記録後にすべての光パワーを参照光に分配するように前記パワー分配比を変化させてホログラムが再生される時間より長いことを特徴とする請求項１０に記載のホログラフィック光情報記録再生装置。
【請求項１４】
シフト多重方式による情報記録後に前記可変手段がすべての光パワーを参照光に分配するように前記パワー分配比を変化させてホログラムが再生される期間において、前記参照光と前記記録媒体との相対的な位置関係は、所定距離以上変動しないように保持されることを特徴とする請求項１０に記載のホログラフィック光情報記録再生装置。
【請求項１５】
情報記録後に前記可変手段がすべての光パワーを参照光に分配するように前記パワー分配比を変化させている期間において、記録されたホログラムの回折効率を検出することを特徴とする請求項１０に記載のホログラフィック光情報記録再生装置。
【請求項１６】
前記信号光の光路中に配置され、前記信号光を遮光する遮光手段をさらに備えることを特徴とする請求項８又は１０に記載のホログラフィック光情報記録再生装置。
【請求項１７】
前記記録媒体上にホログラムを記録した後、前記記録媒体上において、ホログラムが記録されており、かつ多重記録が飽和していない場所にほぼ限定して前記コヒーレント光源からの光を照射し、前記記録媒体の記録材料を完全に飽和露光された状態にすることを特徴とする請求項１に記載のホログラフィック光情報記録再生装置。
【請求項１８】
前記記録媒体上にホログラムを記録した後、前記記録媒体上において、ホログラムが記録されており、かつ多重記録が飽和していない場所にほぼ限定して光を照射し、前記記録媒体の記録材料を完全に飽和露光された状態にする定着用光源をさらに備えることを特徴とする請求項１に記載のホログラフィック光情報記録再生装置。
【請求項１９】
前記記録媒体からの回折光を再生信号光として前記受光素子に導く再生用レンズをさらに備え、
前記再生用レンズの焦点距離は、可変であることを特徴とする請求項１に記載のホログラフィック光情報記録再生装置。
【請求項２０】
前記受光素子の受光セルの数は、前記再生信号光のビーム本数より多く、前記受光素子の受光セルは、前記再生信号光のビーム列の大きさより大きな範囲に配列されることを特徴とする請求項１９に記載のホログラフィック光情報記録再生装置。
【請求項２１】
前記空間光変調素子からの光を前記記録媒体上に導く記録用レンズをさらに備え、
前記記録用レンズの焦点距離は、可変であることを特徴とする請求項１に記載のホログラフィック光情報記録再生装置。
【請求項２２】
前記空間光変調素子からの光を前記記録媒体上に導く記録用レンズと、
前記記録媒体からの回折光を再生信号光として前記受光素子に導く再生用レンズとをさらに備え、
前記記録用レンズと前記再生用レンズとが略等しい歪曲収差を有することを特徴とする請求項１に記載のホログラフィック光情報記録再生装置。
【請求項２３】
前記受光素子の各受光セルの受光部分の長さは、前記受光素子の受光セルのピッチの６０％以上かつ９４％以下であることを特徴とする請求項１に記載のホログラフィック光情報記録再生装置。
【請求項２４】
前記空間光変調素子の各セルの透過部分の長さは、前記空間光変調素子のセルのピッチの５５％以上かつ９２％以下であることを特徴とする請求項１に記載のホログラフィック光情報記録再生装置。
【請求項２５】
前記空間光変調素子によって変調されたビーム列が入射する側の前記記録媒体の表面近傍に開口が設けられ、
前記開口の大きさは、前記信号光が前記空間光変調素子の各セルを通過する際に回折された０次回折光のメインローブの０．５５倍以上０．９倍以下の範囲の光を通過させるように調整されていることを特徴とする請求項１に記載のホログラフィック光情報記録再生装置。
【請求項２６】
前記受光素子の受光セルのピッチは、前記受光素子上の前記回折光のスポット列のピッチより小さくかつ１／２より大きいことを特徴とする請求項１に記載のホログラフィック光情報記録再生装置。
【請求項２７】
コヒーレント光源と、前記コヒーレント光源からの光を分割するビーム分割手段とを有するホログラフィック光情報記録再生装置を用いたホログラフィック光情報記録再生方法であって、
情報記録時に、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、
情報再生時に、前記参照光のみを前記記録媒体に照射し、前記記録媒体で生じた回折光が受光素子によって検出されるステップとを含み、
情報再生時の前記記録媒体中の前記参照光のパワーは、情報記録時の前記記録媒体中の前記参照光のパワーと前記信号光のパワーとの和より大きいことを特徴とするホログラフィック光情報記録再生方法。
【発明の詳細な説明】
【技術分野】
【０００１】
本発明は、計算機の外部記憶装置や、映像音響情報記憶装置などに用いられるホログラフィック光情報記録再生装置及びホログラフィック光情報記録再生方法に関するものである。
【背景技術】
【０００２】
コンパクトディスク（ＣＤ）は、波長７８０ｎｍの光源と、開口数０．４５の対物レンズとを有する光学系を用いて、音楽データ７４分の録音やデジタルデータ６５０ＭＢの記録を行うことを可能にしたものである。また、デジタルバーサタイルディスク（ＤＶＤ）は、波長６５０ｎｍの光源と、開口数０．６の対物レンズとを有する光学系を用いて、２時間１５分のＭＰＥＧ２方式の動画やデジタルデータ４．７ＧＢの記録を行うことを可能にしたものである。
【０００３】
また、近年では、水平解像度１０００本以上の高精細動画が放送されていることや、パーソナルコンピュータが高性能化されているなどの要因で、高密度、大容量の光ディスクに対する期待がさらに高まっている。これに対して、波長４００ｎｍ前後の光源と、開口数０．８５の対物レンズとを組み合わせた光ディスクシステム等が提案され、片面２０ＧＢを超える記録容量が実現されようとしている。
【０００４】
このように、光ディスク装置は、より短波長の光源と、より開口数の大きい対物レンズとを用いることで、ディスク上でのデータ記録密度の高密度化を実現してきた。しかしながら、上記のような光源の短波長化とレンズの高開口数化とによる高密度記録へのアプローチは、限界が近づいている。すなわち、波長４００ｎｍ以下の領域では、レンズに用いられるガラス材料の波長分散が大きくなるために、その収差を制御することが困難となる。また、開口数をより大きくするために開発が進められている固体液浸レンズ技術を用いると、レンズ作動距離、すなわちレンズとディスクとの距離が極端に短くなるため（５０ｎｍ程度）、ディスクの交換が容易でなくなるなどの問題が生じる。そこで、これらの課題を克服し、さらにディスク上でのデータ記録密度の高密度化を実現するために、ホログラフィック記録技術が大きな注目を集めている。
【０００５】
図２０は、例えば、Ｐｓａｌｔｉｓらによって提案されたシフト多重記録方式の光ディスクシステムを説明する図であり、該光ディスクシステムの光学系の概略構成を示している（例えば特許文献１参照）。図２０に示すシフト多重記録方式の光ディスクシステム２００は、レーザ光源２０１、ビームエキスパンダ２０７、偏光ビームスプリッタ２０８、ミラー２１０、空間光変調器２０２、フーリエ変換レンズ２０３及び２０４、ホログラムディスク２０５、２分の１波長板２１１、集光レンズ２１２、及び２次元受光素子アレイ２０６を有している。
【０００６】
レーザ光源２０１からの光は，ビームエキスパンダ２０７でビーム径を拡大された後、偏光ビームスプリッタ２０８で分割される。分割された一方のビームは、２分の１波長板２１１を通過した後、ミラー２１０により進行方向を変更されて空間光変調器２０２を通過する。該空間光変調器２０２を通過したビームは、フーリエ変換レンズ２０３により集光され、集光されたビームは、ホログラムディスク２０５上に信号光２２０として照射される。他方のビームは、集光レンズ２１２により集光され、集光された他のビームは、参照光２２２となって、ホログラムディスク２０５上の信号光２２０の照射位置と同一位置に照射される。ホログラムディスク２０５は、２枚のガラス基板間にフォトポリマーなどのホログラム媒質を封止した構成を有し、信号光２２０と参照光２２２との干渉縞が該ホログラム媒質に記録される。
【０００７】
ここで、空間光変調器２０２は、光スイッチを２次元に配列してなる光スイッチ列を有し、入力信号２２３に応じてそれぞれの光スイッチが独立にオンオフするものであり、各光スイッチは、１ビットの画像情報に相当するセルとなっている。例えば、１０２４セル×１０２４セルの空間光変調器２０２では、１Ｍビットの情報を同時に表示することが可能である。そして、光ビームが空間光変調器２０２を通過する際に、空間光変調器２０２に表示される１Ｍビットの情報は、２次元の光ビーム列に変換され、フーリエ変換レンズ２０３により集光される。
【０００８】
また、記録された信号を再生する際には、ホログラムディスク２０５に参照光２２２のみを照射する。すると、ホログラムディスク２０５からの回折光である再生信号光２２１は、フーリエ変換レンズ２０４を通過することにより２次元の光ビーム列に変換され、この光ビーム列が２次元受光素子アレイ２０６上に照射される。
【０００９】
ここで、２次元受光素子アレイ２０６は、受光素子を２次元に配列してなるものであり、空間光変調器２０２における光スイッチの配列に対応したものとなっている。従って、２次元受光素子アレイ２０６では、上記２次元の光ビーム列における各光ビームが、対応する受光素子によって光電変換され、再生信号２２４が出力される。
【００１０】
図２０に示した光ディスクシステム２００の特徴は、ホログラム媒質の厚みが約１ｍｍ程度と厚く、干渉縞が厚いグレーティング、いわゆるブラッググレーティングとして記録されるため、角度多重記録、つまり光ディスクに対する信号光と参照光との入射角を変えて情報を多重記録することが可能となり、光ディスクに記録される情報の大容量化が実現されることである。なお、図２０に示す光ディスクシステムでは、参照光２２２の入射角変化に代えて、球面波参照光の照射位置をシフトすることで角度多重を実現している。すなわちホログラムディスク２０５をわずかに回転させて記録位置をシフトした際に、ホログラムディスク２０５の各部が感じる参照光の入射角がわずかに変化することを利用している。
【００１１】
このような構成では、１枚のホログラムに多数のデータを記録でき、並列に記録再生を行えるので、高速の光情報記録再生装置が実現される。また、多重記録が可能なので、大容量の光情報記録再生装置が実現される。
【特許文献１】米国特許第５，６７１，０７３号明細書
【発明の開示】
【発明が解決しようとする課題】
【００１２】
しかしながら、前記従来の構成では、再生回折光の光量が少ないため、相対的に２次元受光素子アレイ２０６で生じる電気ノイズが大きくなり、再生信号のＳ／Ｎ比が低かった。また、十分なＳ／Ｎ比をもって信号を再生するには転送レートを、下げざるを得なかった。また、前記従来の構成では、同種のメディアには同じ記録密度での記録しかできなかった。
【００１３】
また、前記従来の構成では、信号光が空間光変調器２０２の各セルで遮断されるために光利用効率が低く、大出力のコヒーレント光源が必要であった。また、記録時の転送レートが低かった。また、前記従来の構成では、レンズの倍率が経時変化や環境温度変化に応じて変化し、２次元受光素子アレイ２０６上での再生信号光２２１のスポット列が前記２次元受光素子アレイ２０６の受光セルに合致せず、再生信号が劣化する課題があった。
【００１４】
また、前記従来の構成では、レンズの歪曲収差によって信号再生時に再生信号光２２１のスポットの位置と２次元受光素子アレイ２０６の受光セルの位置が合致せず、再生信号が劣化する課題があった。また、前記従来の構成では、レンズの歪曲収差が０．２％以下になるように厳密にｆｓｉｎθ条件を満たすようにレンズを設計する必要があり、レンズの構成レンズ枚数が多くなる、レンズの重量が大きくなる、レンズのコストが大きくなるなどの課題があった。
【００１５】
また、前記従来の構成では、ホログラムディスク２０５に記録した情報のベリファイに時間がかかるという課題があった。これはホログラムディスク２０５の回転速度が非常に遅く、記録したホログラムをベリファイのために再生するには、ディスクが少なくとも１回転するだけの時間がかかった。例えば、ホログラムディスク２０５の半径４０ｍｍの位置にホログラムを３０マイクロメートル間隔でホログラムディスクの周方向に連続して記録している際には、ディスクの線速度は３０ｍｍ毎秒、ディスクの周方向の１回転の距離は約２５０ｍｍとなり、記録中にホログラムディスクの回転数が一定であるため、記録からベリファイまでに約８秒の時間がかかる。
【００１６】
また、前記従来の構成では、記録終了時に未記録部分の記録材料を定着するために長時間を要する課題があった。また、前記従来の構成では、２次元受光素子アレイ２０６の受光セルのピッチが再生信号光２２１のスポット列のピッチとほぼ等しかったために、環境温度の変化や経時変化によるレンズの倍率の変化、レンズの歪曲収差、などによって、２次元受光素子アレイ２０６上の一部あるいは全体で、２次元受光素子アレイ２０６の受光セルのピッチが再生信号光２２１のスポット列のピッチより大きくなり、再生信号が著しく劣化するおそれがあった。
【００１７】
また、別の従来の構成では、２次元受光素子アレイの受光セルのピッチが再生信号光のスポット列のピッチの１／２倍以上になっているために、２次元受光素子アレイのセル数が多くなり、２次元受光素子アレイのコストが高くなる、２次元受光素子アレイからの信号引き出し線が多くなる、２次元データ処理回路の回路規模が大きくなるなどの課題があった。
【００１８】
また、前記従来の構成では、２次元受光素子アレイ２０６の受光セルのサイズが２次元受光素子アレイ２０６の受光セルのピッチとほぼ等しいため、再生信号光２２１の隣接するスポットからの符号間干渉の影響が大きくなり、再生信号が劣化する課題があった。また、前記従来の構成では、空間光変調器２０２のセルのサイズが大きいために、再生信号光２２１のスポットのサイズが大きくなって、符号間干渉の影響が大きくなり、再生信号が劣化する課題があった。
【００１９】
また、前記従来の構成では、再生信号光２２１のスポットのファーストヌルの位置が２次元受光素子アレイ２０６の隣接セルの位置と異なっていたために、符号間干渉の影響が大きくなり、再生信号が劣化する課題があった。また、前記従来の構成では、信号光２２０がホログラムディスク２０５に入射する際に、空間光変調素器２０２のセルの開口で決まる回折パターンの０次光の大きさの開口が設置されている。このため、２次元受光素子アレイ２０６上での信号光２２０のスポットサイズが大きくなり、符号間干渉によって再生信号の信号品質が低下する課題があった。
【課題を解決するための手段】
【００２０】
本発明の目的は、再生信号の品質を向上することができるとともに、高転送レートでの信号再生が行うことができるホログラフィック光情報記録再生装置およびホログラフィック光情報記録再生方法を提供することである。
【００２１】
本発明の一局面に従うホログラフィック光情報記録再生装置は、コヒーレント光源と、前記コヒーレント光源からの光を分割するビーム分割手段とを有し、情報記録時には、前記ビーム分割手段によって分割された一方の光ビームが空間光変調素子により変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみを前記記録媒体に照射し、前記記録媒体で生じた回折光が受光素子によって検出されるホログラフィック光情報記録再生装置であって、情報再生時の前記記録媒体中の前記参照光のパワーは、情報記録時の前記記録媒体中の前記参照光のパワーと前記信号光のパワーとの和より大きいものである。
【００２２】
本発明の他の局面に従うホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが空間光変調素子により変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が受光素子によって検出されるステップとを含み、情報再生時の前記記録媒体中の前記参照光のパワーは、情報記録時の前記記録媒体中の前記参照光のパワーと前記信号光のパワーとの和より大きい。
【発明の効果】
【００２３】
本発明によれば、情報再生時の記録媒体中の参照光のパワーを、情報記録時の記録媒体中の参照光のパワーと信号光のパワーとの和より大きくしているので、再生信号品質を向上することができるとともに、高転送レートで信号を再生することができる。
【発明を実施するための最良の形態】
【００２４】
以下、本発明の各実施の形態について、図面を参照しながら説明する。
【００２５】
（第１の実施の形態）
図１は、本発明の第１の実施の形態におけるホログラフィック光情報記録再生装置の概略構成図である。レーザ光源１は、半導体レーザによって励起されるＹＡＧ固体レーザの第二高調波を発生する、波長５３２．１ナノメートルのレーザ光線を発する。レーザ光源１からの光のビームは、ミラー１３によって反射された後、その径がビームエキスパンダ７によって拡大される。拡大された光は、２分の１波長板９へ入射し、偏光ビームスプリッタ（偏光性ビームスプリッタ）８によって信号光２５と参照光２２とに分離される。２分の１波長板９へ入射する光は、直線偏光であり、例えば紙面に垂直な方向の偏波成分を持つ。２分の１波長板９の回転角を調整することにより、偏光ビームスプリッタ８へ入射する光の紙面に垂直な偏波成分と紙面に平行な偏波成分との割合を変化させる。偏光ビームスプリッタ８へ入射した光のうち、紙面に垂直な偏波は、直進して参照光２２となる。偏光ビームスプリッタ８へ入射した光のうち、紙面に平行な偏波は、反射されて信号光２５となる。
【００２６】
ホログラムを効率よく記録するには、ホログラムディスク５中での信号光２５の偏波方向と参照光２２の偏波方向とを平行にし、かつ信号光２５の偏波成分と参照光２２の偏波成分とを紙面に垂直な方向の偏波成分に揃える必要がある。そのため、信号光２５は、２分の１波長板１１によって偏光方向が９０度回転させられ、紙面に垂直な偏波となる。空間光変調素子２は、２次元状に配列された光スイッチ列からなり、入射した光ビームを入力信号２３に応じてＯＮ／ＯＦＦして信号光ビーム列２０に変換する。信号光ビーム列２０は、レンズ３によってホログラムディスク５中に集光される。また、参照光２２は、集光レンズ１２を通じてホログラムディスク５中で信号光２５（信号光ビーム列２０）と交差し、干渉縞を生じる。ホログラムディスク５は、２枚のガラス基板の間に光重合性材料がホログラム材料としてサンドイッチされている。ホログラム材料は、入射した光強度に応じて各部の屈折率が変化し、前述の干渉縞が屈折率差の形で記録される。
【００２７】
図１のようなホログラフィック光情報記録再生装置の特長は、複数のホログラムをホログラムディスク５中の同一の場所に多重化して記録できることであり、大きな記録容量が実現される。ホログラムディスク５中にホログラムが多重化されて記録される様子を図２に示す。
【００２８】
信号光ビーム列２０は、記録用レンズ３によってホログラムディスク５中に集光される。このとき、信号光ビーム列２０は、入力信号に応じて変調され、一様な波面を持たないため、ホログラムディスク５中では有限の大きさを持ったビームウエスト形状をなす。一方、参照光２２は、集光レンズ１２によってガラス基板５２の表面に集光され、光重合性材料５１内で信号光ビーム列２０と交差する。光重合性材料５１中にはモノマーが分散されており、露光強度に応じてモノマーが重合して消費されるため、モノマーの濃度分布が生じる。重合後、この濃度分布を緩和する方向にモノマーが拡散（移動）して、屈折率分布が生じる。
【００２９】
一つのホログラムが記録された後、ホログラムディスク５が回転によってわずかに移動され、次のホログラムが記録される。図２では、ホログラムディスク５を移動させる代わりに、移動後の、入射する信号光ビーム列２０と参照光２２とを点線で表示した。図のように、隣接したホログラムは、互いにその領域が重なり合って記録される。このとき、互いのホログラムでは、参照光２２の集光位置が異なる、すなわち、ホログラム材料内のある場所を視点にすると、隣接するホログラムでは、参照光２２の入射する角度が異なった状態で、ホログラムが記録される。多重化されたホログラムのホログラムディスク５上での構成は、図３のようになる。例えば、ホログラムサイズは２ｍｍ、多重記録を行う隣接ホログラム間のピッチは３０ミクロン程度で、ホログラムが多重記録される。ホログラムを記録するごとにホログラムディスク５を回転して、円周方向に連続したホログラムを多重記録する。
【００３０】
ホログラムの多重記録は、前記モノマーがすべて重合して消費されない範囲に露光量が制御されてなされる。すべての記録が終了した際には、残存したモノマーをすべて重合させて屈折率差を定着し、材料の安定化を図る。この定着過程は必ずしも必要ではないが、定着しない場合には、以下のような不都合が生じる可能性がある。すなわち、残存モノマーは不安定な材料であり、保存環境によって変質して不要な屈折率変化を生じる。あるいは再生時に不要な干渉縞が記録されてしまい、再生時に不要な回折光を生じて再生信号のＳ／Ｎ比の劣化を引き起こす、等である。
【００３１】
定着工程は、例えば、参照光２２のみをホログラムディスク５に照射して干渉縞を生じることなくモノマーを重合させる、発光ダイオードのような干渉性の低い光源をホログラフィック光情報記録再生装置内に備えておき、ディスク全面に順次照射する、などの方法がある。
【００３２】
多重記録されたホログラムを再生する際には、信号光ビーム列２０を遮断し、参照光２２のみをホログラムに照射する。ここで、フォトポリマー内に記録されるホログラムは、フォトポリマーと同じ厚さをもつ、いわゆるブラッググレーティングとして記録されている。よく知られるように、厚いブラッググレーティングは、入射する参照光の角度依存性が鋭く、記録時の参照光と同じ角度で参照光が入射したときにのみ再生回折光を生じる。前述のように、図１のホログラフィック光情報記録再生装置では、異なるホログラムに対してホログラムが感じる参照光２２の入射角度が異なるため、多重化されたホログラムのうち、一つのホログラムを選択的に再生することが可能である。
【００３３】
ここで、本実施の形態のホログラフィック光情報記録再生装置の特徴は、ホログラムを再生するときに参照光２２のパワーを大きくしていることである。すなわち、情報再生時のホログラムディスク５（光重合性材料５１）中の参照光２２のパワーは、情報記録時のホログラムディスク５（光重合性材料５１）中の参照光２２のパワーと信号光２５（信号光ビーム列２０）のパワーとの和より大きいことが好ましく、この和の２倍より大きいことがより好ましい。また、情報記録時の参照光２２と信号光２５とのパワー比は、３：１〜２０：１であることが好ましく、５：１以上であることがより好ましい。
【００３４】
ホログラムからの再生回折光は一般に１％以下と低いために、２次元受光素子アレイ６での受光光量が少なく、相対的に再生信号に含まれる電気ノイズの割合が大きくなり、再生信号のＳ／Ｎ比が低い。十分なＳ／Ｎ比を確保するには、より大出力の光源を用いて信号光パワーを確保することが考えられるが、装置の大型化、高コスト化につながる。また、一つのホログラムを再生する時間を長くして再生信号光２１のエネルギを確保する方法もあるが、この場合には転送レートが低下する。
【００３５】
本実施の形態のホログラフィック光情報記録再生装置では、ホログラム再生時に２分の１波長板９を回転して偏光ビームスプリッタ８に入射する光を紙面に垂直な方向の直線偏光にすることにより、信号光２５へのパワー分配をなくし、参照光２２のパワーを大きくできる。このことから、再生時の２次元受光素子アレイ６での受光光量を確保でき、高転送レート、高Ｓ／Ｎ比のホログラム再生が可能である。
【００３６】
ＣＤ、ＤＶＤなど従来の光ディスク装置では、メディアの温度の上昇によって情報を書き込んでいるため、再生時にはメディアの温度上昇によるデータの損傷が少なくなるよう、記録時より小さな光パワーで再生する必要があった。
【００３７】
これに対して、光重合性材料の屈折率変化によってデータが記録されるホログラフィックな光情報記録技術においては、参照光の光量の制約が少ない。すなわち、記録されたメディアを再生する時には、フォトポリマーのモノマーがほとんど存在せず、光照射によって材料が変化しない、あるいは、再生時には参照光のみを照射しているため、干渉縞を生じず、モノマーが一様に重合するため、屈折率差が変化しない。このために参照光のパワーを増大しても、記録データの損傷が起こりにくく、本実施の形態のホログラフィック光情報記録再生装置のように、参照光パワーを大きくして再生転送レートを高くすることができる。
【００３８】
図１では偏光ビームスプリッタ８に入射する偏光方向を制御する手段として、２分の１波長板９を用いたが、例えば液晶素子を用いて、液晶素子への印可電圧を変化させることによって、同じ効果を実現することも可能である。
【００３９】
また、偏光ビームスプリッタ８の代わりに、偏光性ホログラムを用い、その回折光と透過光とを信号光２５と参照光２２とすることもできる。この場合にも、２分の１波長板９を回転して偏光を制御するのは同様である。
【００４０】
また、上記のように、ビームの偏光を用いてパワーを分配する方法の他に、図１中の偏光ビームスプリッタ８の位置にハーフミラーを備え、そのハーフミラーを光路から出し入れすることで光ビームの分配比率を変化させることも可能である。このときには、再生時に光ビームが通過する光学部品点数が減り、参照光２２の波面収差が少なくなる効果を有する。
【００４１】
また、本実施の形態のホログラフィック光情報記録再生装置の別の特長は、ホログラム記録時にも、参照光２２と信号光２５とのパワー比を制御して、最適なパワー比で記録可能なことである。ここで空間光変調素子２は、信号に応じて透過する光強度を変調する振幅型のＳＬＭを用いており、ＯＦＦのデータに対応するセルに入射した光は、ＳＬＭで遮断されるために、信号光２５の光ロスが非常に大きい。そこで、本実施の形態のホログラフィック光情報記録再生装置では、参照光２２により多くのパワーを分配し、信号光２５への分配比率をより小さくすることにより、記録時の装置全体の光利用効率が向上するという効果を持つ。そのため、記録時にホログラムディスク５に照射される光量が増加し、高速な記録が可能になる。
【００４２】
また、上記のパワー分配比の変更方法は、上記の例に特に限定されず、種々の変更が可能である。まず、情報記録時のパワー分配比を記録媒体に応じて変化させることが好ましい。記録媒体であるホログラムディスク５中にホログラムが記録される際、信号光２５と参照光２２とから生成される干渉縞の光強度分布に従って光重合性材料５１の屈折率が変化し、ホログラムが記録される。このとき、記録媒体ごとに最大の屈折率変化量が異なるため、記録媒体ごとに記録時の最適な露光条件が異なる。したがって、上記のパワー分配比を記録媒体の種類（例えば、記録再生型記録媒体、追記型記録媒体等）に応じて変化させることが好ましい。また、上記のパワー分配比を記録媒体のリニアリティに応じて変化させるようにしてもよい。
【００４３】
また、情報記録時のパワー分配比を参照光の入射角に応じて変化させることが好ましい。複数のホログラムを同一箇所に多重記録する際、それぞれのホログラムに対して参照光の入射角度を変化させて多重記録する方法を角度多重記録という。例えば、参照光をガルバノミラーで反射させる等の参照光を偏向する偏向手段により入射角を変えることができる。
【００４４】
図４は、入射角に応じてホログラムディスク内で参照光のビーム強度が変化することを説明するための模式図である。図４に示すように、参照光が、ホログラムディスク５に入射する際、ホログラムディスク５内で参照光のビーム強度は、ホログラムディスク５に対するビームの入射角に応じて変化する。すなわち、ホログラムディスク５へ入射する前の参照光のビーム強度が同一であっても、入射角が大きいときには（図中に実線で示す参照光１２ａの場合）、入射角が小さいとき（図中に破線で示す参照光１２ｂの場合）に比べて、ホログラムディスク５内のビームサイズが大きくなり、ひいてはホログラムディスク５中のビーム強度が小さくなる。このビーム強度の変化を考慮してホログラムを記録するときに、参照光の入射角に応じて２分の１波長板９の回転位置を制御することにより、基準入射角より参照光の入射角が大きいときは、基準パワーより参照光のパワーを大きくし、一方、基準入射角より参照光の入射角が小さいときは、基準パワーより参照光のパワーを小さくする。この結果、参照光の入射角に拘らず、ホログラムディスク５中での参照光と信号光とのパワー分配比である強度比を一定にしてホログラムを記録することができ、各ホログラムからの再生信号光の光強度を一定にすることができる。
【００４５】
また、情報記録時のパワー分配比を記録媒体に記録される情報の符号化方式に応じて変化させることが好ましい。ホログラム記録においては、入力信号となるデジタルデータを２次元のデータセル列に変換して記録することとなる。この際、入力データをデータセル列に変換する符号化方式としては、種々の方式が提案されている。
【００４６】
図５は、１−２変換符号方式を説明するための模式図であり、図６は、３−１６変換符号方式を説明するための模式図である。例えば、１−２変換と呼ばれる符号方式である１−２変換符号方式では、図５に示すデータセル列Ｄ１のように、入力データの１ｂｉｔに対して、例えば、左右に隣接する２つのセルを割り当てる。入力データのｂｉｔが１の場合、２つのデータセルのうち右側のデータセルをＯＮ（図中の黒色セル）に、左側のデータセルをＯＦＦ（図中の白色セル）にする。この方式では、入力データに拘らず、全データセルのうち５０％がＯＮに、残りの５０％がＯＦＦとなる。
【００４７】
また、３−１６変換と呼ばれる符号方式である３−１６変換符号方式では、図６に示すデータセル列Ｄ２のように、１辺が４セルからなり、総セル数が１６となる正方形の領域（図中の太線で囲まれる領域）のデータセルを、入力データの１ｂｙｔｅ（＝８ｂｉｔ）に対して割り当てる。また、０〜２５５の２５６通りのデータに対して、１６個のデータセルのうち任意の３個のデータセルをＯＮ（図中の黒色セル）に、残りの１３個のデータセルをＯＦＦ（図中の白色セル）にする。１６個のデータセルのうち３個のセルを選ぶ組み合わせは、２５６通り以上存在するため、上記の方式では、１バイトのデータを表現することができ、入力データに拘らず、全データセルのうち１８．７５％がＯＮに、残りの８１．２５％がＯＦＦとなる。
【００４８】
このように異なる符号化方式によってＯＮとなるデータセルの割合が異なる。これは、信号光を生成する空間光変調素子２のトータルの透過率が符号化方式によって変化することを意味し、ホログラムディスク５中での参照光と信号光との最適なパワー分配比を実現するためには、パワー分配比をホログラムディスク５に記録される情報の符号化方式に応じて変化させることが必要となる。例えば、本実施の形態では、記録再生型記録媒体と追記型記録媒体、又は記録容量の異なる媒体等の記録媒体の種類によって異なる符号化方式を選択する場合、又は、データ領域と、ＦＡＴ（ファイル・アロケーション・テーブル）等のデータ管理領域とで異なる符号化方式を選択する場合、記録媒体又は領域の種類ごとに、すなわち符号化方式ごとに、参照光と信号光とのパワー分配比を変化させている。具体的には、符号化方式が変更されるごとに、各符号化方式においてＯＮされているデータセルの割合の逆数に比例して参照光のパワー又は参照光と信号光とのパワー比が増減するように、２分の１波長板９の回転位置を制御している。
【００４９】
また、光利用効率又はホログラフィック光情報記録再生装置の消費電力の観点から、偏光ビームスプリッタ８は、情報再生時に、すべての光パワーを参照光に分配することが好ましい。この場合、信号光と参照光とのパワー分配比を可変する２分の１波長板９によって、レーザ光源１からの光のうちほとんど全ての光が参照光に振り分けられる。しかしながら、２分の１波長板９及び偏光ビームスプリッタ８による消光比が有限であるため、このとき同時に信号光の光路中に配置されている空間光変調素子２をすべてオフにすることが好ましい。これによって、信号光の光路中を伝搬するわずかな漏れ光が再生信号光に重畳されることによるＳ／Ｎ比の劣化を低減することができる。
【００５０】
さらに、信号光の光路中にシャッタ等の遮光手段を配置し、情報再生中には遮光手段を閉状態にし、上記の漏れ光を遮断することが好ましい。これによって、信号光の光路中を伝搬するわずかな漏れ光が再生信号光に重畳されることによるＳ／Ｎ比の劣化を回避することができる。
【００５１】
上記の遮光手段としては、種々のものを用いることができ、例えば、遮光部材となる金属片を信号光の光路中に機械的に出し入れするメカニカルシャッタを使用することができる。この場合、消光比が極めて高くなり、Ｓ／Ｎ比の劣化をより確実に回避することができる。また、メカニカルシャッタ以外に、液晶素子、電気光学効果を用いた光スイッチ等を用いてもよい。この場合、メカニカルシャッタに比して消光比が劣るが、可動部が存在しないため、機械的な振動を発生することなく、高速に開閉動作を行うことができる。
【００５２】
（第２の実施の形態）
図７は、本発明の第２の実施の形態のホログラフィック光情報記録再生装置の概略構成図である。図７のホログラフィック光情報記録再生装置の特長は、信号光と参照光のパワー分配比を制御するための偏光制御デバイスがＥＯ変調器９１からなることである。ＥＯ変調器９１は、高速動作可能であるという特徴を持つ。また、図７のホログラフィック光情報記録再生装置は、一つのホログラムを記録した直後に当該ホログラムを再生することを特徴とする。ホログラムを記録する際の手順は以下のごとくである。
【００５３】
まず、ホログラムを記録する際には参照光２２と信号光２５を同時にホログラムディスク５に照射する。このとき、２次元受光素子アレイ６には、空間光変調素子２を通過した信号光２５が照射されている。次に、目標露光量に達する時間が経過した後、紙面に垂直な直線偏光を出力するようにＥＯ変調器９１の印可電圧を変更し、参照光２２のみでホログラムディスク５を照射する。このとき、直前に記録されたホログラムからの回折光が再生信号光２１として２次元受光素子アレイ６に入射する。また、ＥＯ変調器９１の印可電圧を変更して信号光２５を遮断するのと同時に、２次元受光素子アレイ６の各セルに蓄積されていた光電荷を放電してリセットしておく。次に、一定時間ホログラムを再生した後、光電変換して蓄積された電荷量を２次元受光素子アレイ６から読み出す。以上の手順によって、ホログラムに記録されたデータを記録直後に読み出して高速なベリファイ動作が実現される。
【００５４】
また、上記の方法で、記録されたホログラムの回折効率をモニタすることもできる。ホログラムを多重記録する際には、材料のダイナミックレンジを個々のホログラムに均等に割り当ててそれぞれのホログラムのＳ／Ｎ比を確保するため、各ホログラムの回折効率をモニタすることはきわめて重要である。
【００５５】
上記では、図のようにＥＯ変調器９１にてホログラム記録直後に信号光を遮断したが、同様の動作は、信号光の光路中に高速の光スイッチを配置する、あるいは、空間光変調素子２の全スイッチをＯＦＦ状態にする、などの信号光の光路中に配置され、信号光を遮光する遮光手段でも実現できる。
【００５６】
また、上記の方法では、ＥＯ変調器９１が情報記録時に参照光と信号光とがホログラムディスク５に入射されるようにパワー分配比を設定してホログラムが記録される時間は、ＥＯ変調器９１が情報記録後にすべての光パワーを参照光に分配するようにパワー分配比を変化させてホログラムが再生される時間より長い、すなわち、ホログラム記録時間より直後の再生時間が短いことが好ましい。これは再生によってモノマーの重合が進行し、記録材料のダイナミックレンジが低下することを抑制する効果がある。同様の理由で、記録時間中の露光量より再生時間中の露光量が少ないことが望ましい。
【００５７】
また、上記の方法では、ホログラム材料に例えば光重合性材料を用いた場合のように、露光後一定時間経過後に屈折率変化が生じる、あるいは、露光後一定時間経過後に屈折率変化が終了する場合があり、記録後一定時間経過した後にベリファイ動作、あるいは回折効率のモニタをするのが望ましい。これによって、より正確なベリファイ動作や回折効率のモニタが可能になる効果がある。
【００５８】
上記の説明では、参照光に球面波を用いたシフト多重方式のホログラフィック光情報記録再生装置について説明したが、他の多重方式に基づくホログラフィック光情報記録再生装置でも、上記と同様の効果が得られる。例えば、スペックルパターンを生じる参照光を用いたシフト多重方式でも同様である。これらシフト多重方式では、異なるホログラムを異なる場所に記録するが、上記のようなベリファイ動作、回折効率のモニタ動作を行う際には、ホログラムの記録開始から、ベリファイ動作、あるいは回折効率のモニタが終了するまで、光ヘッドとホログラムディスクとの相対的な位置関係が実質的に変化しないように保つ、すなわち、シフト多重方式による情報記録後にＥＯ変調器９１がすべての光パワーを参照光に分配するようにパワー分配比を変化させてホログラムが再生される期間において、参照光と記録媒体との相対的な位置関係は、所定距離以上変動しないように保持されることが好ましい。
【００５９】
例えば、相対的な位置関係の変化を、記録している干渉縞周期の５分の１以下に保つことが好ましく、干渉縞周期が０．５ミクロンの時には、相対的な位置関係が０．１ミクロン程度以上変化しないように保つようにしてもよい。これらの場合、相対的な位置関係のずれによって、記録される干渉縞のコントラストが低下するのを防止する効果がある。
【００６０】
上記の条件を満たすために、それぞれのホログラムを記録する際にはホログラムディスク５を停止し、ホログラムディスク５停止中にベリファイ動作、回折効率のモニタを完了し、ディスクを一定距離移動した後、隣接したホログラムを記録する。あるいは、ホログラムディスク５を一定の速度で移動しつつ、短パルス光を用いて記録及びベリファイを行う方法でもよい。例えばホログラムディスクを毎秒３０ｍｍで移動しつつ、平均的な干渉縞周期が０．５ミクロンのホログラムを記録する際には、ホログラムの記録開始からベリファイ動作終了まで約５マイクロ秒で行えばよい。
【００６１】
また、上記のベリファイ方法は、角度多重方式のように、複数のホログラムを同一の場所に記録する多重方式のホログラフィック光情報記録再生装置で行う場合に、さらに有効である。これは、複数のホログラムを記録する間にホログラムディスクを移動する必要がなく、シフト多重方式のように光源のパルス幅や、ベリファイ動作完了までの時間の制約が少なくてすむ効果を持つ。
【００６２】
また、記録後に回折効率をモニタすること、すなわち、情報記録後にＥＯ変調器９１がすべての光パワーを参照光に分配するようにパワー分配比を変化させている期間において、記録されたホログラムの回折効率を検出することは、次のような効果を併せ持つ。ホログラム記録材料は、長時間高温に晒される、環境光で被爆する、などの理由によって、記録以前にモノマーの重合反応が促進し、残留モノマーが減少している可能性がある。このときには、ホログラム記録で生じさせる屈折率変化の全量が減少する。このような性能劣化をおこしたホログラムディスクに、劣化を起こしていないホログラムディスクの適正露光量でホログラムを記録すると、多重化記録の途中でモノマーが枯渇し、後半に記録するホログラムが正常に記録されない可能性がある。
【００６３】
これを防ぐためには、以下のような方法がある。第１の方法は、記録したホログラムからの回折効率をモニターして、各ホログラムの回折効率が適正値を示すような露光量で記録し、モノマーが不足して十分な回折効率が得られなくなる以前にホログラムの多重化を中止する方法である。この方法は、多重度が適正な値より小さくなり、ホログラムディスク全体の容量が低下する短所があるが、反面、各ホログラムからの回折効率として適正な値が得られ、十分な再生光量が得られるため、適正な転送レートが実現される特長を持つ。
【００６４】
上記第１の方法は、データ記録に用いるホログラムを記録しつつそれぞれのホログラムからの回折効率をモニタすることでも実現できる。この場合にはデータホログラム自体の回折効率をモニタしているため、ホログラムディスクの面内での劣化度合いの分布の影響を受けないという効果がある。また、データ記録を行う前に、データ記録とは別のコントロール領域にホログラムを多重記録し、その再生回折効率や再生Ｓ／Ｎ比をモニタすることでデータ領域での多重度を決定することでも実現できる。この場合には、一度多重度を決定した後は、回折効率のモニタを行わずに高速にホログラム記録が行える効果がある。
【００６５】
上記の多重度の調整方法として、シフト多重方式のホログラフィック光情報記録再生装置では、ホログラムが記録されるディスク上でのピッチを変化させることで多重度を調整することができ、角度多重方式のホログラフィック光情報記録再生装置では、ホログラム記録時の参照光の入射角度のピッチを変化させることで多重度を調整することができる。
【００６６】
次に、第２の方法は、記録したホログラムからの回折効率をモニタして、所望の多重度が得られるように各ホログラムに回折効率を割り当て、露光量を調節する方法である。例えば、材料が劣化して屈折率変化の全量が減少した場合には、各ホログラムでの屈折率変化を小さくする。この方法は、適正な多重度が得られ、ホログラムディスク全体の容量が確保される特長があるが、反面、各ホログラムからの回折効率が低下し、適正な転送レートが実現されない短所を持つ。
【００６７】
上記第２の方法は、上述のように、データ記録に用いるホログラムを記録しつつそのそれぞれのホログラムからの回折効率をモニタすることでも実現できる。この場合にはデータホログラム自体の回折効率をモニタしているため、ホログラムディスクの面内での劣化度合いの分布の影響を受けないという効果がある。また、データ記録を行う前に、データ記録とは別のコントロール領域にホログラムを多重記録し、その再生回折効率や再生Ｓ／Ｎ比をモニタすることでデータ領域での多重度を決定することでも実現できる。この場合には、一度多重度を決定した後は回折効率のモニタを行わずに高速にホログラム記録が行える効果がある。
【００６８】
次に、第３の方法は、記録したホログラムから適正な回折効率が得られなかった場合に、記録を中止する方法である。この場合には、データ記録を行えないという短所があるが、ホログラムディスクに表記された規格の種類、あるいはディスクのパッケージに表記された規格の種類、あるいはディスクのカートリッジに表記された規格の種類から連想される記録容量や転送レートと、実際に記録されたデータとの相違が生じないという効果がある。
【００６９】
次に、第４の方法は、記録したホログラムから適正な回折効率が得られなかった場合に、警告を発する、又は警告信号を出力する方法である。この場合には、ホログラムディスクに表記された規格の種類、あるいはディスクのパッケージに表記された規格の種類、あるいはディスクのカートリッジに表記された規格の種類から連想される記録容量や転送レートと、実際に記録されたデータとの相違が生じにくいという効果がある。
【００７０】
これら第１から第４の方法は、ホログラム記録に限らず、記録薄膜面に微小スポットを集光してマークを記録する従来の光ディスク技術にも、類似の方法が適用可能である。例えば、記録したマークの反射率変化をモニタして、十分な反射率変化を生じていない場合には、平均マーク長を長くして記録する、あるいは、再生時のディスク速度を低くして再生するなどの方法である。しかしながら、ホログラム記録材料は、前述のように経時変化を受けやすい、環境光被爆の影響を受けやすいなど、従来の光ディスク材料にない特性を持っており、第１から第４の方法は、ホログラム記録に適用するときに特に効果的である。
【００７１】
（第３の実施の形態）
ホログラム材料においては、未露光のまま材料が放置されると、周辺環境温度などにより本来露光時に進行する化学反応と異なる反応が進行して、材料が黒化して散乱が増加するなどの不具合が生じる場合がある。これを防ぐためには、記録が終了し、以降追記を行わないとき、すなわちディスクをクローズする際に、未露光部分の材料に光を照射し、未反応の材料を消費しておくことが有用であり、これを定着過程と呼ぶ。
【００７２】
上記の第１の実施の形態では、すべての記録が終了した際には、残存したモノマーをすべて重合させて屈折率差を定着し、ホログラムの定着の際に記録最中より大きなパワー密度の光をホログラムディスク５に照射することができる。例えば、定着時には記録材料中のモノマーがすでにホログラム記録によって消費されて重合しており、モノマー濃度が低下した状態にある。このときには、モノマー分子間の間隔が広くなっている。このような状態において、重合開始材の活性化頻度が小さければ、重合開始材の活性化による重合開始の効率が低下し、重合開始材のみが消費されながら、モノマーが十分に重合されない現象が生じる。すなわち感度に非線形性が現れやすい。これを防ぐためには、特にモノマーの濃度低下が著しい状態での定着工程において、よりパワー密度の高い光をホログラム材料に照射することが好ましい。上記第１の実施の形態では、定着工程において、レーザ光源１からの光をすべて参照光に割り当て、信号光の光路中の空間光変調素子２での光ロスをなくして記録時より大きなパワー密度を実現することができる。
【００７３】
上記定着過程は、一定度合いまで多重記録が行われ、かつ最大多重度に未達の領域である未飽和領域において特に重要である。この未飽和領域において材料の黒化が発生した場合には、信号再生が行われる際に散乱光が誘起され、Ｓ／Ｎ比の低下を来たす。これに対して、記録が一切行われなかった未記録領域では、信号再生が行われることがないため、未露光の材料が黒化しても、大きな問題とはならない。したがって、定着過程は、すべての領域で行う必要はなく、未飽和領域のみ行うことが好ましい。この場合、定着過程に必要な時間が軽減され、より高速に記録処理を終了することができる。
【００７４】
また、ホログラム材料において、未露光の部分は粘度が低く、ホログラムディスクの一部を記録し、一部を未露光のまま放置すると、未露光の領域の化学物質が記録部分に拡散し、記録済み領域の屈折率又は体積を変化させたり、記録済み領域の散乱を増加させる等の悪影響が生じる可能性がある。このようなホログラム材料に記録する際には、未記録領域及び未飽和領域のすべてに対して定着を施すことが好ましい。
【００７５】
また、多重記録を行う際には、ホログラムディスクの各領域において、最大多重度で多重記録が行われたときにも、未反応の材料が残留した状態になっている。これは、多重記録の終了間際にも一定量の未反応材料を確保し、一定の感度を得るためである。このため、未反応材料を長時間放置したときに、黒化の比較的大きな材料を利用する際には、記録が終了したときに、未露光領域、未飽和領域及び記録済み領域のすべてに対して定着を施すことが好ましい。
【００７６】
もちろん、第１の実施の形態の構成をとらない場合でも、定着工程に用いられる別光源を用意し、記録時より大きなパワー密度を実現してもよい。このように記録時より大きなパワー密度で定着することにより、より完全に実消費のモノマーを重合することができる効果を持つ。また、より短時間に定着工程が完了する効果を持つ。
【００７７】
図８は、本発明の第３の実施の形態のホログラフィック光情報記録再生装置の概略構成図である。本実施の形態の特徴は、ホログラム記録後の定着用の光源として発光ダイオード４０を用い、発光ダイオード４０からの光を対物レンズ４１により集光して未飽和部分のみを定着することである。発光ダイオード４０は、記録光源であるレーザ光源１とほぼ同等あるいはわずかに短い波長に発光スペクトル中心を有しており、出力光がホログラム材料に入射した時には効率的に残留モノマーが重合される。
【００７８】
本実施の形態の効果は、定着工程で不要な干渉縞を生じず、再生時に不要な回折光を生じないため、再生時のＳ／Ｎ比が定着工程によって悪化しないことである。発光ダイオード４０のスペクトル幅は、約１０ｎｍ以上あり、ホログラムディスク５の界面での不要反射光その他の迷光が生じた場合にも干渉縞が生じない。このように、定着工程での光源は、記録時の光源より発光スペクトル幅が広いことが望ましい。図８では、定着用光源に発光ダイオード４０を用いたが、発光スペクトルが１ｎｍ以上ある光源で、発光スペクトル中心がホログラム材料の感度の範囲の中にあれば、他の光源を用いることもでき、例えば、スーパールミネッセントダイオードでもよい。
【００７９】
上記の説明では、定着用光源をホログラムディスク５の下面から照射する図を示したが、上面又は側面から照射してもよい。特に、側面から照射したときには、定着用光源からの光がホログラム材料内を長距離進行するため、より効率よく定着が行われる。この場合には、定着工程が短時間になる効果がある。また、定着用光源の出力が小さくてよくなるという効果がある。側面から定着用光源でホログラムディスク５を照射するときには、定着用光源をホログラムディスク５の端面に近接させるか、集光光学系を介してホログラムディスク５の端面に集光するのがよい。いずれの場合も光利用効率が高まり、定着時間の短縮される効果や、定着用光源の出力が小さくてもよくなる効果がある。
【００８０】
また、記録に用いるレーザ光源１を用いて定着する場合にも、ホログラムディスク５への入射角を大きくした方が光とホログラム材料との作用長が長くなって定着工程が効率化される。あるいは、図８のようにスペクトル幅の広い別光源を用いない場合でも、例えば半導体レーザを記録用光源に用いている場合には、半導体レーザの注入電流に高周波電流を重畳することによってスペクトル幅を拡大し、干渉性を低下させることで、同様に定着工程での光源のスペクトル幅を広くすることができる。この場合にも定着工程で不要な干渉縞を生じず、再生時に不要な回折光を生じないため、再生時のＳ／Ｎ比が、定着工程によって悪化しないという効果を持つ。
【００８１】
（第４の実施の形態）
上記のように、ホログラフィック光情報記録再生装置では、２次元の再生信号光ビーム列を２次元受光素子アレイ６で検出するため、再生信号光ビーム列と２次元受光素子アレイ６のセルとの位置あわせを行う必要がある。特に、あるホログラフィック光情報記録再生装置で記録されたホログラムディスクを他のホログラフィック光情報記録再生装置で再生するときには、両装置のレンズの像サイズを厳密に一致させる必要がある。例えば、再生信号光ビーム列と２次元受光素子アレイ６のセルが、縦に１０００本、横に１０００本の正方パターンで配列されている場合、記録を行う装置のレンズと記録されたホログラムディスクを再生する装置のレンズの像サイズが０．１％異なっているとき、２次元受光素子アレイ６の端部のセル上には互いに隣接する再生信号光ビームの半分ずつが入射することになり、正しい信号再生が行えない。このような状況は、上記のように異なるホログラフィック光情報記録再生装置でホログラムディスクを再生する場合のみならず、環境温度変化や経時変化によるレンズのひずみや、温度変化による２次元受光素子アレイ６の熱膨張や、それらの複合でも生じる可能性がある。
【００８２】
この課題に対して、本実施の形態のホログラフィック光情報記録再生装置は、図１に示すホログラフィック光情報記録再生装置の構成において、再生用レンズ４に代えて、倍率が可変な、すなわち焦点距離が可変である再生用レンズを持つ。この構成では、再生信号光ビーム列の全体像サイズに応じて再生用レンズの倍率を調整することで、再生信号光ビームと２次元受光素子アレイのセルとの位置あわせが容易になり、正確な信号再生が可能になる。なお、上記の点を除き、本実施の形態によるホログラフィック光情報記録再生装置の構成は、図１に示すホログラフィック光情報記録再生装置と同様であるので、図示及び詳細な説明は省略する。
【００８３】
また、本実施の形態のホログラフィック光情報記録再生装置は、倍率が可変な再生用レンズと、再生信号光ビームの本数より多い受光セルが再生信号光ビーム列の大きさより大きな範囲に配列された２次元受光素子アレイとを持つことが好ましい。この構成では、２次元の再生信号光ビーム列の全体像サイズが所望の像サイズより大きくなった場合と、所望の像サイズより小さくなった場合のどちらでも、２次元受光素子アレイからの出力信号に画像処理を施すことによって、２次元の再生信号光ビーム列の全体像サイズを知ることができる。また、より適切に再生用レンズの倍率を調整することで、再生信号光ビームと２次元受光素子アレイの受光セルとの位置あわせがより容易になり、正確な信号再生が可能になる。
【００８４】
また、２次元受光素子アレイの外周部の受光セルは、領域分割されていることが望ましい。この場合には、２次元受光素子アレイの外周部分の受光セルからの出力信号によって、倍率の誤差がより正確に認識され、より正確な倍率の調整が可能になり、より正確な信号再生が可能になる。
【００８５】
また、本実施の形態のホログラフィック光情報記録再生装置は、図１に示すホログラフィック光情報記録再生装置の構成において、記録用レンズ３に代えて、倍率が可変な、すなわち焦点距離が可変である記録用レンズを持つことが好ましい。この構成では、記録用レンズのひずみによって、適切なサイズの再生像を生じるホログラムが記録できなくなった場合にも、記録用レンズの倍率を調整することで、適切なサイズの再生像を生じるホログラムが記録できる。
【００８６】
また、上記の倍率が可変な記録用レンズと、再生信号光ビーム列の大きさより大きな範囲に受光セルが配列され、再生信号光ビームの本数より多い受光セルが配列された２次元受光素子アレイとを用いるようにしてもよい。この構成では、空間光変調素子を通過した信号光のうち、ホログラムで回折されない０次光を２次元受光素子アレイで検出し、２次元受光素子アレイからの出力信号に画像処理を施すことによって、２次元の再生信号光ビーム列の全体像サイズを知ることができる。また、より適切に再生用レンズの倍率を調整することで、再生信号光ビームと２次元受光素子アレイの受光セルとの位置あわせがより容易になり、正確な信号再生が可能になる。この場合にも、２次元受光素子アレイの外周部分の受光セルからの出力信号によって、倍率の誤差がより正確に認識され、より正確な倍率の調整が可能になり、より正確な信号再生が可能になる。
【００８７】
また、本実施の形態の構成では、記録用レンズと再生用レンズとが略等しい歪曲収差を持つことが好ましい。ホログラフィック光情報記録再生装置において、記録用レンズ、再生用レンズには、ビームの入射角θ、焦点距離ｆに対して、像高ｈがｈ＝ｆ×ｓｉｎθとなる関係で表されるいわゆるフーリエ変換レンズが用いられる。このとき、歪曲収差のない再生信号光スポット列が得られ、すべての再生信号光スポットが等しい間隔で正方配列される。これに対して再生用レンズ、あるいは記録用レンズに歪曲収差がある時には再生信号光スポット間隔が中心像付近と周辺像付近とで異なり、２次元受光素子アレイの受光セルと再生信号光スポット列との位置が一致せず、再生信号の品質の劣化を招く。
【００８８】
これに対して、上記の構成によれば、再生用レンズと記録用レンズとが略等しい歪曲収差を持つので、記録時と再生時との収差の影響が互いに打消し合う。この結果、等ピッチの空間光変調素子を用いて記録したホログラムを再生して、等ピッチの再生信号光スポット列が得られるので、等ピッチの２次元受光素子アレイで再生信号光スポット列を検出して、高品質の再生信号が得られる。
【００８９】
また、厳密にフーリエ変換レンズを設計すると、歪曲収差低減のため、多数の構成レンズを用いる必要があり、レンズが高価である、重量が大きい、サイズが大きいという課題がある。それに対して、上記のように、記録用レンズと再生用レンズとに略等しい歪曲収差を持つレンズを用いる構成では、レンズ設計に余裕ができるので、構成レンズ枚数が低減される、レンズが低価格になる、重量が小さい、サイズが小さいという効果を持つ。
【００９０】
さらに、記録用レンズと再生用レンズとが樽型の歪曲収差を持つ構成では、糸巻き型の歪曲収差を持つ構成に比べて、レンズ設計により余裕ができるので、構成レンズ枚数がより低減される、レンズがより低価格になる、重量がより小さい、サイズがより小さいという効果を持つ。
【００９１】
また、記録用レンズ及び再生用レンズの像面湾曲は、小さい、例えば、焦点深度以下であることが望ましい。像面湾曲が大きいとき、２次元受光素子アレイ上の場所によって再生信号光スポットの焦点位置が異なり、光スポットサイズが大きくなるため、符号間干渉が増大する。例えば、レーザ光源の波長が５３２．１ｎｍ、空間光変調素子のセルサイズが１５ミクロン、記録用および再生用レンズの焦点距離が２０ｍｍのとき、焦点深度は約０．１ｍｍとなり、像面湾曲は０．１ｍｍ以下とするのが望ましい。
【００９２】
また、記録用レンズ及び再生用レンズの像面湾曲は、それぞれ焦点深度の１／２以下になっていることがより好ましい。通常は、上記のように像面湾曲は、焦点深度以下に規定すればよいが、ホログラフィック光情報記録再生装置では、記録用レンズと再生用レンズにともに像面湾曲があるときには、その影響が加算されるため、それぞれのレンズの像面湾曲はさらに小さくするのがよい。また、記録用レンズと再生用レンズとの像面湾曲を、それぞれ焦点深度の１／２以下に規定することにより、両レンズを同様の設計で作ることができ、部品の共通化、低コスト化が図られる効果もある。
【００９３】
上記のように、記録用レンズや再生用レンズの焦点距離、空間光変調素子のセルサイズを規定し、レーザ光源の波長から規定される焦点深度の２分の１以下にすることで、信号再生時の焦点ぼけを防ぐことができる。なお、上記の記録用レンズ、再生用レンズ及び空間光変調素子の構成は、それぞれ個別に実施してもよい。
【００９４】
（第５の実施の形態）
本発明の第５の実施の形態のホログラフィック光情報記録再生装置に用いる２次元受光素子アレイの概略光学構成図を図９に示す。本実施の形態の特徴は、２次元受光素子アレイ６の各セルの受光部分６２の大きさ（受光部分６２の縦方向の長さ及び横方向の長さ）が、セルピッチＣＰ（受光セル６１の縦方向の長さ及び横方向の長さ）よりも小さくなっていることである。なお、図９に示す２次元受光素子アレイ６を除き、本実施の形態によるホログラフィック光情報記録再生装置の構成は、図１に示すホログラフィック光情報記録再生装置と同様であるので、図示及び詳細な説明は省略する。
【００９５】
図１０は、図９に示す２次元受光素子アレイが再生信号光スポットを受光する状態を説明するための断面概念図である。図９では、再生信号光スポット６５を円で表現しているが、実際の再生信号光スポットは、図１０に示すように、再生信号光スポットの光強度分布は、図中実線の曲線Ｉ１で示したような分布を示す。図１０では、再生信号光スポット列の位置と２次元受光素子アレイ６のセルの位置とが正確に一致している場合を図示しており、再生信号光スポットの光強度分布は、対応する２次元受光素子アレイ６の受光部分６２の中央で極大の値を取る。
【００９６】
図１０のように、再生信号光スポットの光強度分布が広がりを持つのは、主に、記録されたホログラムのサイズが制限されているために、ホログラムのサイズで回折されることに起因する。ホログラムの形状が正方形あるいは長方形であり、ホログラム内各部から等しい回折効率で再生信号光が回折されたときには、図の光スポットの光強度分布は、ｓｉｎｃ関数の２乗の関数で表される。このときの光強度分布の広がりは、ホログラムのサイズに依存し、ホログラムのサイズを適当に選ぶことで、図のように光強度分布のファーストヌル、セカンドヌルの位置を、ちょうど隣接した受光セル６１の受光部分６２上に一致させることができる。
【００９７】
受光セル６１の出力信号は、受光部分６２上の光強度分布を積分した値に比例した値となる。図１０中に破線又は一点鎖線の曲線Ｉ２、Ｉ３で示したように、受光部分６２上には隣接するＯＮ状態の光スポットの一部が入射し、セルからの再生信号光の光強度を変化させる。これは、従来の光ディスクで、近接したピットからの回折光が光受光素子に入射して生じる符号間干渉に類似した現象である。従来の光ディスク再生装置では、この符号間干渉を考慮して、再生信号を適切なＦＩＲフィルタに通過させることで、符号間干渉の影響を減じることができる。
【００９８】
一方、ホログラフィック光情報記録での符号間干渉の特徴は、隣接光スポットからの光と再生信号光とがコヒーレントに干渉することである。隣接する光スポットからの光が再生信号光とコヒーレントに干渉する場合には、符号間干渉の大きさは線形性を保たない。すなわち、あるセルの再生信号では、隣接するＯＮセルの個数の違いによって、それぞれの隣接スポットから混入する符号間干渉の大きさが異なる。また、あるセルがＯＮ状態かＯＦＦ状態かの違いによっても、隣接スポットから混入する符号間干渉の大きさが異なる。このため、従来の光ディスク再生装置で用いられたようなＦＩＲフィルタを用いて符号間干渉を効果的に減じることができない。以上の理由から、ホログラフィック光情報記録再生装置では、光学的な手段によって受光セル６１に混入する隣接スポットからの光を減じることがより、効果的に符号間干渉を低減させる。
【００９９】
このため、本実施の形態のホログラフィック光情報記録再生装置では、２次元受光素子アレイ６の受光部分６２のサイズ（図１０に示すＰＷ）をセルピッチＣＰよりも小さくしている。図１０に示したように、受光部分６２の中央部分で隣接スポットからの光強度が小さく、受光部分６２の端の領域で隣接スポットからの光強度が大きくなっており、受光部分６２を小さくすることで、隣接スポットからの光の混入を効果的に減じることができる。
【０１００】
また、符号間干渉の大きさをより減ずるために、空間光変調素子２に擬似ランダム拡散板を重畳することが好ましい。擬似ランダム拡散板は、互いに隣接するセルの信号光スポットに対して互いに２分のπの位相変位を付与するものであり、任意のセルの再生信号光スポットと混入する隣接するセルの再生信号光とが干渉した場合にも、受光部分６２での光強度分布は、それぞれの光スポットの光強度の和で表される。このため、ＦＩＲフィルタで効果的に符号間干渉の影響を減じることができる。
【０１０１】
擬似ランダム拡散板を用いた場合にも、ＯＮ状態にある隣接スポットが複数ある場合には、それらから混入する光同士の位相差は２分のπにならず、非線形な符号間干渉が残留する。この非線形な符号間干渉は、図１０の例では中央のセルの右側の隣接セルの光スポットの光強度と左側の隣接セルの光スポットの光強度との干渉によって生じる。すなわち図１０中の破線の曲線Ｉ２と一点鎖線の曲線Ｉ３との干渉によって生じる。
【０１０２】
破線Ｉ２で表した分布と一点鎖線Ｉ３で表した分布とはともに、その光強度が受光部分６２の中央部分で小さく、周辺部で大きいので、前述のように、擬似ランダム拡散板を用いない場合の、受光部分６２の中央部分で光強度が最大になる再生信号光スポットと受光部分６２の周辺部分で光強度が最大になる隣接スポットからの混入光との干渉で生じる非線形な符号間干渉に比して、受光部分６２の周辺部分により局在する。このため、擬似ランダム拡散板を用いる方法と、小さな受光部分６２を用いる方法とを組み合わせた場合には、両方法を単独で用いた場合に比べて、より効果的に符号間干渉の影響を低減することができる。
【０１０３】
高速フーリエ変換に依拠した数値計算によって、擬似ランダム拡散板を用いた場合には、受光部分６２の大きさを受光セル６１のピッチの０．９４倍以下に設定したとき、符号間干渉によるＳ／Ｎ比を１０ｄＢ以上にすることができ、ＦＩＲフィルタ通過後のビット誤差レートが１００００分の１以下となる正確な信号再生が可能なことが分かった。また、擬似ランダム拡散板を用いない場合には、受光部分６２の大きさを受光セル６１のピッチの０．６倍に設定したとき、符号間干渉によるＳ／Ｎ比を１０ｄＢ以上にすることができ、ＦＩＲフィルタ通過後のビット誤差レートが１００００分の１以下となる正確な信号再生が可能なことが分かった。
【０１０４】
なお、受光部分６２を小さくしたときには、上述のように符号間干渉を減じて正確な信号再生が可能になる効果があるが、反面、受光光量が低下し、相対的に電気ノイズが大きくなってＳ／Ｎ比を悪化させる。このため、受光部分６２の大きさは、符号間干渉が十分低減される範囲で、可能な限り大きくすることが必要である。このことから、受光部分６２の縦方向及び横方向の長さの適正範囲は、受光セル６１の縦方向及び横方向のピッチの０．６倍以上０．９４倍以下の範囲に設定することが最適である。
【０１０５】
（第６の実施の形態）
本発明の第６の実施の形態のホログラフィック光情報記録再生装置に用いる空間光変調素子の概略光学構成図を図１１に示す。本実施の形態の特徴は、空間光変調素子２の各セルの光透過部分７２の大きさが、セルピッチＣＰよりも小さくなっていることである。なお、図１１に示す空間光変調素子２を除き、本実施の形態によるホログラフィック光情報記録再生装置の構成は、図１に示すホログラフィック光情報記録再生装置と同様であるので、図示及び詳細な説明は省略する。
【０１０６】
上記の構成では、ホログラムディスク５のホログラム上での信号光の光強度分布の形状が広がるため、２次元受光素子アレイ６上での各再生信号光スポットの広がりがより小さくなる。この現象は、空間光変調素子２の各セルの開口形状をフーリエ変換してホログラム上の信号光の光強度分布の包絡線を求め、さらに、この信号光の光強度分布の包絡線を逆フーリエ変換して２次元受光素子アレイ６上の再生信号光スポットの光強度分布を求めることで計算できる。また、記録用レンズ３と再生用レンズ４とで形成される光学系を４ｆ結像系と見なしたときには、物体サイズを小さくすることで、像サイズが小さくなるという説明が可能である。この現象のため、空間光変調素子２の各セル７１の大きさを小さくすることで、隣接セルに混入する光強度が小さくなり、符号間干渉が小さくなる。この結果、正確な信号再生が可能になる。
【０１０７】
図１２に、上記のセルピッチより小さな開口を持つ空間光変調素子を用いた時のホログラム上での信号光の光強度分布の包絡線の様子を示す。破線で示す包絡線Ｉ５は、各セルが光透過部分７２として矩形開口を持つ空間光変調素子を用いたときのホログラム上の信号光の光強度分布の包絡線を示し、実線で示す包絡線Ｉ４は、各セルが光透過部分７２としてより小さい矩形開口を持つ空間光変調素子を用いたときのホログラム上の信号光の光強度分布の包絡線を示している。図１２から、開口を小さくしたとき、ホログラム面での光強度分布の広がりが大きくなっており、符号間干渉低減の効果が期待される。
【０１０８】
高速フーリエ変換に依拠した数値計算によって、上記の矩形開口の場合の効果を計算した。擬似ランダム拡散板の有無等の条件を変えて計算した結果、光透過部分７２の大きさをセルピッチの０．９２倍以下から０．５５倍以上に設定したとき、符号間干渉によるＳ／Ｎ比を１０ｄＢ以上にすることができ、ＦＩＲフィルタ通過後のビット誤差レートが１００００分の１以下となる正確な信号を再生可能なことが分かった。
【０１０９】
なお、光透過部分７２を小さくしたときには、上述のように符号間干渉を減じて正確な信号再生が可能になる効果があるが、反面、空間光変調素子２の透過光量が低下し、光利用効率が低下する。このため、光透過部分７２の大きさは符号間干渉が十分低減される範囲で、可能な限り大きくすることが必要である。このことから、光透過部分７２の縦方向及び横方向の長さの適正範囲は、空間光変調素子の縦方向及び横方向のセルピッチの０．５５倍以上０．９２倍以下の範囲に設定するのが最適である。
【０１１０】
また、空間光変調素子の各セル７１の開口となる光透過部分７２の形状を図１３に示したような円形とすることでも、上記と同様の効果が得られる。この場合にホログラム上での信号光の光強度分布の包絡線の形状は、ベッセル関数の２乗で表され、図１２に示す包絡線Ｉ６のようになる。一方、セル７１の開口が同じ最大幅を持つ矩形形状をしているときには、ホログラム上での信号光の光強度分布の包絡線の形状は、ｓｉｎｃ関数の２乗で表され、図１２に示す包絡線Ｉ４のようになる。これらベッセル関数とｓｉｎｃ関数とを比較すると、ベッセル関数の広がりの大きさがｓｉｎｃ関数の広がりの大きさより大きくなるので、空間光変調素子の各セル７１の開口の形状を円形とした場合、ホログラム面での光強度分布の広がりが大きくなり、符号間干渉低減の効果が期待される。
【０１１１】
また、同様の効果は、図１４のように空間光変調素子の各セル７１の開口となる光透過部分７２の一部に、内側に凸な形状部分７８を設けることでも実現される。この場合には、開口形状を円形にしたときより、ホログラム上での信号光の光強度分布の包絡線の形状が広がる程度は小さくなる。反面、例えばＴＮ液晶素子を用いた透過型液晶素子を空間光変調素子に用いた場合には、液晶素子を駆動する薄膜トランジスタなどの回路部分を、開口の内側に凸な形状７８の部分に配置することで、効率的に開口制限が可能である。
【０１１２】
また、図１５のように、空間光変調素子の各セル７１の開口となる光透過部分７２を、略矩形形状の開口部分の隅の部分を切り欠き部分７９で一部切り欠いた形状にすることでも、上記と同様の効果が得られる。
【０１１３】
また、図１６のように、２枚のガラス基板７３，７４と、その間に封止された液晶層７４とを備える空間光変調素子の各セル７１に対応するようにマイクロレンズアレイ７５を空間光変調素子に近接して設置し、各セル７１を通過するビームをそれぞれ集光する構成でも、同様の効果が得られる。この場合には、符号間干渉低減の効果に加え、光利用効率が高くなる効果も併せ持つ。
【０１１４】
なお、本実施の形態では、透過型の空間光変調素子を用いているが、この例に特に限定されず、シリコン基板上に反射膜を施し、さらに液晶素子を装加した構造のいわゆるＬＣＯＳデバイスや、微小ミラーを振動して反射光の方向を制御する光スイッチ列を構成するいわゆるＤＬＰデバイスや、他の任意の構造の光スイッチ列であれば同様に用いることができる。
【０１１５】
（第７の実施の形態）
本発明の第７の実施の形態のホログラフィック光情報記録再生装置におけるホログラム面付近の開口での信号光の光強度分布の様子を図１７に示す。また、ホログラム面付近に開口を有する遮光部材を設置したときの２次元受光素子アレイ６面上での再生信号光スポットの光強度分布を計算した結果を図１８に示す。なお、本実施の形態によるホログラフィック光情報記録再生装置の構成は、開口を有する遮光部材をホログラム面付近に設置する点を除き、図１に示すホログラフィック光情報記録再生装置と基本的に同様であるので、図示及び詳細な説明は省略する。
【０１１６】
図１７に示すように、矩形開口を有する空間光変調素子２を用いたときのホログラム上の信号光の光強度分布の包絡線は、実線Ｉ７のようになり、空間光変調素子２の開口からの回折光の０次光成分の０．５倍のサイズの開口を有する遮光部材Ｏ１と、０．７５倍のサイズの開口を有する遮光部材Ｏ２とをホログラム面付近に設置したときに、再生信号光スポットの光強度分布は、図１８に示すようになる。
【０１１７】
まず、再生用レンズ４に収差がなく、空間光変調素子２の開口からの回折光の０次光成分と同じサイズの開口を有する遮光部材Ｏ１をホログラム面付近に設置した場合には、図１８に実線Ｉ８で示したように、再生信号光スポットの光強度分布のファーストヌルが、２次元受光素子アレイ６の隣接する受光部分６２のほぼ直上に位置し、符号間干渉が小さくなる構成になっていることがわかった。
【０１１８】
また、再生用レンズ４に収差があり、空間光変調素子２の開口からの回折光の０次光成分と同じサイズの開口を有する遮光部材Ｏ１をホログラム面付近に設置した場合には、図１８に破線Ｉ９で示したように、再生信号光スポットの光強度分布のサイドローブが、２次元受光素子アレイ６の隣接する受光部分６２のほぼ直上に位置し、符号間干渉が大きくなる構成になっていることがわかった。
【０１１９】
また、再生用レンズ４に収差があり、空間光変調素子２の開口からの回折光の０次光成分の０．７５倍のサイズの開口を有する遮光部材Ｏ２をホログラム面付近に設置した場合には、図１８に一点鎖線Ｉ１０で示したように、再生信号光スポットの強度分布のサイドローブが、２次元受光素子アレイ６の隣接する受光部分６２のほぼ直上に位置し、符号間干渉が大きくなる構成になっていることがわかった。
【０１２０】
また、図示していないが、再生用レンズ４に、より大きな収差があり、空間光変調素子２の開口からの回折光の０次光成分の０．５倍のサイズの開口を有する遮光部材Ｏ１をホログラム面付近に設置した場合には、再生信号光スポットの強度分布のファーストヌルの位置が、２次元受光素子アレイ６上でより離れた場所に位置することがわかった。この場合には、より大きなサイズの開口を有する遮光部材をホログラム面付近に設置することで、ファーストヌルの位置を２次元受光素子アレイ６の隣接する受光部分６２のほぼ直上に位置させられることがわかった。
【０１２１】
以上より、ホログラフィック光情報記録再生装置を構成する際、再生用レンズおよび記録用レンズの収差や、再生用レンズのデフォーカスが生じることを考慮して、ホログラム面付近に設置する開口のサイズを、空間光変調素子２の開口からの回折光の０次光成分のサイズ（０次回折光のメインローブ）の０．５５倍以上０．９倍以下に設定することが好ましく、０．５５倍以上０．７５倍以下に設定することがより好ましい。この場合、符号間干渉が少なく、信号品質の高い信号再生が行える。
【０１２２】
（第８の実施の形態）
本発明の第８の実施の形態のホログラフィック光情報記録再生装置に用いる２次元受光素子アレイ６の概略平面構成図を図１９に示す。本実施の形態の特徴は、再生信号光スポット列のスポットのピッチが、２次元受光素子アレイ６の受光セル６１のピッチＣＰより大きくかつピッチＣＰの２倍以下であることである。なお、図１９に示す２次元受光素子アレイ６を除き、本実施の形態によるホログラフィック光情報記録再生装置の構成は、図１に示すホログラフィック光情報記録再生装置と同様であるので、図示及び詳細な説明は省略する。
【０１２３】
元信号に対してサンプリング検出を行う際、サンプリング周波数が元信号の帯域幅より小さい時、元信号の一部が失われて正確な信号の復元ができない。従来のホログラフィック光情報記録再生装置では、再生信号光スポット列と、２次元受光素子アレイのセルとを同じピッチに設定し、２次元受光素子アレイの一つのセルに対して、一つの再生信号光スポットを対応させ、各再生信号光スポットと２次元受光素子アレイの各セルとを１対１に対応させている。
【０１２４】
しかしながら、実際のホログラフィック光情報記録再生装置では、レンズの収差や、環境温度変化によるレンズのひずみ、環境温度変化による２次元受光素子アレイ６の熱膨張などによって、２次元受光素子アレイ６の全体あるいは一部で再生信号光スポットのピッチが２次元受光素子アレイ６のセルピッチより大きくなる場合がある。そのときには、正確な信号の再生が困難になる。また、数多くの再生信号光ピット列と２次元受光素子アレイ６の各セルの位置を正確に一致させるためには、再生信号光スポット列に対して２次元受光素子アレイ６の平面内の２軸の位置、焦点方向の位置、２軸のあおり方向、面内回転方向を調整する多軸のサーボ動作が必要になり、システムが大がかりになる欠点があった。
【０１２５】
また、再生信号光スポットのそれぞれに対して複数の受光セルを対応させる構成では、上記のような多軸の精密なサーボ動作が不要になるが、この構成では２次元受光素子アレイ６の受光セル数が多くなり、２次元受光素子アレイ６のコストが高くなる。また、多数のデータを生成するため、後段の信号処理回路の規模が大きくなる欠点があった。
【０１２６】
これら課題を克服するために、本実施の形態のホログラフィック光情報記録再生装置では、再生信号光スポット列のスポットのピッチが、２次元受光素子アレイ６のセルピッチより大きくかつ２倍以下であるように設定している。このとき、２次元受光素子アレイ６からの出力信号に適切なフィルタを施すことで、２次元受光素子アレイ６の多軸の詳細なサーボ制御を行う必要のない簡単なシステムで、元信号の正確な再生が可能になるとともに、２次元受光素子アレイ６のセル数の増大が限定される。
【０１２７】
また、再生信号光スポット列のスポットのピッチが、２次元受光素子アレイ６のセルピッチに近い値を取るときには、特に、符号間干渉や迷光によるノイズ、電気ノイズなどによって再生信号が低いＳ／Ｎ比を持つときには、正確な信号再生が行えない。このため、再生信号光スポット列のスポットのピッチが、２次元受光素子アレイ６のセルピッチより大きくかつ２倍以下である構成に加えて、以下の構成を追加することが好ましい。
【０１２８】
すなわち、２次元受光素子アレイ６の各セルの受光部分６２の大きさが、セルピッチよりも小さくなっている構成、空間光変調素子２の各セルの光透過部分７２の大きさが、セルピッチよりも小さくなっている構成、空間光変調素子２に擬似ランダム拡散板を重畳する構成、あるいはそれらを複合した構成を同時に用いることで、再生信号光スポット列に含まれる符号間干渉の程度を小さくして、正確な信号再生が可能になる。
【０１２９】
また、互いにＯＮ状態の再生信号光スポット同士が隣接する確率が低いコーディング方法が提案されている。例えば、縦方向、横方向ともに２セルずつの計４セルのうち、一つのセルのみをＯＮにし、４セルで２ビットを表現するコーディング方法があり、本技術分野の技術者には公知となっている。この場合には、任意のセルがＯＮになる確率が４分の１となり、すべてのセルがＯＮ又はＯＦＦ状態を取り得るランダムコーディングに比べて、ＯＮになるセルが隣接する確率が低い。このように、隣接するセルがともにＯＮになる確率の低いコーディング方法と、再生信号光スポット列のスポットのピッチが、２次元受光素子アレイ６のセルピッチより大きくかつ２倍以下である構成を組み合わせることで、複雑なサーボ機能が不要でかつ正確な信号再生が可能なホログラフィック光情報記録再生装置が実現される。
【０１３０】
以上のすべての実施の形態において、ホログラムディスクに対して信号光の入射方向と反対側から再生信号光を取り出す構成のホログラフィック光情報記録再生装置に関して説明したが、ホログラムディスクの一部に反射層を設けて記録と再生とをホログラムディスクの同じ側から再生する構成にも、本発明を上記と同様に適用可能である。
【０１３１】
また、上記の実施の形態では、図１のように球面参照波を用いたシフト多重方式のホログラフィック光情報記録再生装置を説明したが、ほかの多重方式、例えば、波長多重方式、角度多重方式、ペリストロフィック多重方式、スペックルパターンをもつ参照波を用いたシフト多重方式、位相コード多重方式等にも、本発明を上記と同様に適用可能である。
【０１３２】
また、上記の実施の形態では、信号光ビームと参照光ビームとが異なるレンズを通じてホログラムディスクを照射する例で説明したが、信号光ビームと参照光ビームとが同一のレンズを通じてホログラムディスクを照射する構成にも、本発明を上記と同様に適用可能である。
【０１３３】
また、上記の実施の形態では、ホログラム記録媒体が円形のディスクであり、ホログラムディスクを回転して複数のホログラムを記録する例で説明したが、ホログラム記録媒体が方形など他の形状のホログラム記録媒体であったり、ディスク状でなく、略立方体、略円柱など立体をしている場合や、ホログラム媒体をＸＹ平面内で２次元的に移動しながら複数のホログラムを記録するなど、ホログラム記録媒体の他の移動方法を用いる構成にも、本発明を上記と同様に適用可能である。
【０１３４】
また、上記の実施の形態では、空間光変調素子と受光素子アレイとして、２次元空間光変調素子と２次元受光素子アレイを用いた構成で説明したが、ＧＬＶのような１次元空間光変調素子や、ＣＣＤラインセンサのような１次元受光素子アレイを用いた構成にも、本発明を上記と同様に適用可能である。
【０１３５】
上記のように、本発明の一態様に係るホログラフィック光情報記録再生装置は、コヒーレント光源と、前記コヒーレント光源からの光を分割するビーム分割手段とを有し、情報記録時には、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみを前記記録媒体に照射し、前記記録媒体で生じた回折光が受光素子によって検出されるホログラフィック光情報記録再生装置であって、情報再生時の前記記録媒体中の前記参照光のパワーは、情報記録時の前記記録媒体中の前記参照光のパワーと前記信号光のパワーとの和より大きいものである。
【０１３６】
このホログラフィック光情報記録再生装置においては、情報再生時の記録媒体中の前記参照光のパワーを、情報記録時の記録媒体中の参照光のパワーと信号光のパワーとの和より大きくしているので、再生信号品質を向上することができるとともに、高転送レートで信号を再生することができる。
【０１３７】
情報再生時の前記記録媒体中の前記参照光のパワーは、情報記録時の前記記録媒体中の前記参照光のパワーと前記信号光のパワーとの和の２倍より大きいことが好ましい。
【０１３８】
この場合、再生信号品質をより向上することができるとともに、より高転送レートでの信号再生が可能となる。
【０１３９】
上記のホログラフィック光情報記録再生装置は、前記ビーム分割手段によって分割される前記参照光と前記信号光とのパワー分配比を変化させる可変手段をさらに備えることが好ましい。
【０１４０】
この場合、情報記録時及び情報再生時に参照光と前記信号光とのパワー分配比を任意に変更することができる。
【０１４１】
前記可変手段は、前記パワー分配比を前記記録媒体に応じて変化させることが好ましい。
【０１４２】
この場合、記録媒体ごとに記録時の最適な露光条件で参照光及び信号光を照射することができる。
【０１４３】
前記可変手段は、前記パワー分配比を前記参照光の入射角に応じて変化させることが好ましい。
【０１４４】
この場合、参照光の入射角に拘らず、記録媒体中での参照光と信号光とのパワー分配比を一定にしてホログラムを記録することができ、各ホログラムからの再生信号光の光強度を一定にすることができる。
【０１４５】
前記可変手段は、前記パワー分配比を前記記録媒体に記録される情報の符号化方式に応じて変化させることが好ましい。
【０１４６】
この場合、各符号化方式に適した条件で参照光及び信号光を照射することができる。
【０１４７】
前記ビーム分割手段は、偏光性ビームスプリッタを含むことが好ましい。
【０１４８】
この場合、簡略な構成でコヒーレント光源からの光を参照光と信号光とに分割することができる。
【０１４９】
前記ビーム分割手段は、情報再生時に、すべての光パワーを参照光に分配することが好ましい。
【０１５０】
この場合、信号光の光路中を伝搬するわずかな漏れ光が再生信号光に重畳されることによるＳ／Ｎ比の劣化を低減することができる。
【０１５１】
前記記録媒体上に前記ホログラムを記録した後、前記信号光のみを遮断し、前記記録したホログラムからの回折光を前記受光素子で受光して前記ホログラムに記録した情報をベリファイすることが好ましい。
【０１５２】
この場合、ホログラムに記録された情報を記録直後に読み出して高速なベリファイ動作を実現することができる。
【０１５３】
上記のホログラフィック光情報記録再生装置は、情報記録時に前記参照光と前記信号光とが前記記録媒体に入射されるように前記パワー分配比を設定し、情報記録後にすべての光パワーを参照光に分配するように前記パワー分配比を変化させる可変手段をさらに備えることが好ましい。
【０１５４】
この場合、記録直後に、ホログラムに記録されたデータを読み出して高速なベリファイ動作を行なったり、記録されたホログラムの回折効率をモニタすることができる。
【０１５５】
前記可変手段は、ＥＯ変調器を含むことが好ましい。
【０１５６】
この場合、信号光と参照光とのパワー分配比を高速に制御することができる。
【０１５７】
前記受光素子は、前記可変手段がすべての光パワーを参照光に分配するように前記パワー分配比を変化させるときに、蓄積されていた光電荷を一旦放電することが好ましい。
【０１５８】
この場合、受光素子に蓄積されていた不要な光電荷を一旦放電することができるので、再生信号光を正確に検出することができる。
【０１５９】
前記可変手段が情報記録時に前記参照光と前記信号光とを前記記録媒体に入射するように前記パワー分配比を設定してホログラムが記録される時間は、前記可変手段が情報記録後にすべての光パワーを参照光に分配するように前記パワー分配比を変化させてホログラムが再生される時間より長いことが好ましい。
【０１６０】
この場合、再生によって記録媒体内のモノマーの重合が進行し、記録材料のダイナミックレンジが低下することを抑制することができる。
【０１６１】
シフト多重方式による情報記録後に前記可変手段がすべての光パワーを参照光に分配するように前記パワー分配比を変化させてホログラムが再生される期間において、前記参照光と前記記録媒体との相対的な位置関係は、所定距離以上変動しないように保持されることが好ましい。
【０１６２】
この場合、参照光と記録媒体との相対的な位置関係のずれによって、記録される干渉縞のコントラストが低下することを防止することができる。
【０１６３】
情報記録後に前記可変手段がすべての光パワーを参照光に分配するように前記パワー分配比を変化させている期間において、記録されたホログラムの回折効率を検出することが好ましい。
【０１６４】
この場合、記録したホログラムからの回折効率をモニターして、各ホログラムの回折効率が適正値を示すような露光量で記録し、モノマーが不足して十分な回折効率が得られなくなる以前にホログラムの多重化を中止する等の方法を用いることができるので、多重化記録の途中でモノマーが枯渇し、後半に記録するホログラムが正常に記録されないことを防止することができる。
【０１６５】
上記のホログラフィック光情報記録再生装置は、前記信号光の光路中に配置され、前記信号光を遮光する遮光手段をさらに備えることが好ましい。
【０１６６】
この場合、信号光の光路中を伝搬するわずかな漏れ光が再生信号光に重畳されることによるＳ／Ｎ比の劣化を回避することができる。
【０１６７】
前記記録媒体上にホログラムを記録した後、前記記録媒体上において、ホログラムが記録されており、かつ多重記録が飽和していない場所にほぼ限定して前記コヒーレント光源からの光を照射し、前記記録媒体の記録材料を完全に飽和露光された状態にすることが好ましい。
【０１６８】
この場合、ホログラムが記録されており、かつ多重記録が飽和していない場所にほぼ限定して定着処理を行なうことができるので、定着処理に必要な時間が軽減され、より高速に記録処理を終了することができる。
【０１６９】
上記のホログラフィック光情報記録再生装置は、前記記録媒体上にホログラムを記録した後、前記記録媒体上において、ホログラムが記録されており、かつ多重記録が飽和していない場所にほぼ限定して光を照射し、前記記録媒体の記録材料を完全に飽和露光された状態にする定着用光源をさらに備えることが好ましい。
【０１７０】
この場合、定着用光源を用いて、記録時より大きなパワー密度で定着することができるので、より完全にモノマーを重合することができるとともに、より短時間に定着工程を完了することができる。
【０１７１】
上記のホログラフィック光情報記録再生装置は、前記記録媒体からの回折光を再生信号光として前記受光素子に導く再生用レンズをさらに備え、前記再生用レンズの焦点距離は、可変であることが好ましい。
【０１７２】
この場合、再生信号光のビーム列の全体像サイズに応じて再生用レンズの倍率を調整することにより、再生信号光の各ビームスポットと受光素子の各受光セルとの位置あわせが容易になり、正確な信号再生が可能になる。
【０１７３】
前記受光素子の受光セルの数は、前記再生信号光のビーム本数より多く、前記受光素子の受光セルは、前記再生信号光のビーム列の大きさより大きな範囲に配列されることが好ましい。
【０１７４】
この場合、再生信号光のビーム列の全体像サイズが所望の像サイズより大きくなった場合と、所望の像サイズより小さくなった場合とのいずれの場合でも、受光素子からの出力信号に画像処理を施すことによって、再生信号光のビーム列の全体像サイズを知ることができ、再生信号光の各ビームスポットと受光素子の各受光セルとの位置あわせがより容易になり、より正確な信号再生が可能になる。
【０１７５】
上記のホログラフィック光情報記録再生装置は、前記空間光変調素子からの光を前記記録媒体上に導く記録用レンズをさらに備え、前記記録用レンズの焦点距離は、可変であることが好ましい。
【０１７６】
この場合、記録用レンズのひずみによって、適切なサイズの再生像を生じるホログラムが記録できなくなった場合にも、記録用レンズの倍率を調整することにより、適切なサイズの再生像を生じるホログラムを記録することができる。
【０１７７】
上記のホログラフィック光情報記録再生装置は、前記空間光変調素子からの光を前記記録媒体上に導く記録用レンズと、前記記録媒体からの回折光を再生信号光として前記受光素子に導く再生用レンズとをさらに備え、前記記録用レンズと前記再生用レンズとが略等しい歪曲収差を有することが好ましい。
【０１７８】
この場合、レンズ設計に余裕ができるので、構成レンズ枚数を低減したり、レンズを低価格化したり、その重量およびサイズを小さくすることができる。
【０１７９】
前記受光素子の各受光セルの受光部分の長さは、前記受光素子の受光セルのピッチの６０％以上かつ９４％以下であることが好ましい。
【０１８０】
この場合、隣接スポットからの光の混入を効果的に減じることができるとともに、受光光量の低下を防止してＳ／Ｎ比の悪化を抑制することができる。
【０１８１】
前記空間光変調素子の各セルの透過部分の長さは、前記空間光変調素子のセルのピッチの５５％以上かつ９２％以下であることが好ましい。
【０１８２】
この場合、符号間干渉を減じて正確な信号再生が可能になるとともに、光利用効率を向上させることができる。
【０１８３】
前記空間光変調素子によって変調されたビーム列が入射する側の前記記録媒体の表面近傍に開口が設けられ、前記開口の大きさは、前記信号光が前記空間光変調素子の各セルを通過する際に回折された０次回折光のメインローブの０．５５倍以上０．９倍以下の範囲の光を通過させるように調整されていることが好ましい。
【０１８４】
この場合、符号間干渉が少なく、信号品質の高い信号再生を行うことができる。
【０１８５】
前記受光素子の受光セルのピッチは、前記受光素子上の前記回折光のスポット列のピッチより小さくかつ１／２より大きいことが好ましい。
【０１８６】
この場合、受光素子からの出力信号に適切なフィルタを施すことにより、受光素子に対して精緻な多軸のサーボ制御を行う必要がなくなり、装置の構成を簡略化することができるとともに、元信号の正確な再生が可能になり、さらに、受光素子の受光セル数の増大を抑制することができる。
【０１８７】
本発明の他の態様に係るホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が受光素子によって検出されるステップとを含み、情報再生時の前記記録媒体中の前記参照光のパワーは、情報記録時の前記記録媒体中の前記参照光のパワーと前記信号光のパワーとの和より大きい。
【０１８８】
このホログラフィック光情報記録再生方法においては、情報再生時の記録媒体中の前記参照光のパワーを、情報記録時の記録媒体中の参照光のパワーと信号光のパワーとの和より大きくしているので、再生信号品質を向上することができるとともに、高転送レートで信号を再生することができる。
【０１８９】
本発明の他の態様に係る他のホログラフィック光情報記録再生装置は、コヒーレント光源と、前記コヒーレント光源からの光を分割するビーム分割手段とを有し、情報記録時には前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記媒体中にホログラムとして記録され、情報再生時には前記参照光のみが記録媒体に照射され、前記記録媒体で生じた回折光を受光素子によって検出されるホログラフィック光情報記録再生装置であって、前記空間光変調素子からの光を前記記録媒体上に導く記録用レンズをさらに備え、前記記録用レンズの焦点距離は、可変である。
【０１９０】
本発明の他の態様に係る他のホログラフィック光情報記録再生装置は、コヒーレント光源と、前記コヒーレント光源からの光を分割するビーム分割手段とを有し、情報記録時には、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみが前記記録媒体に照射され、前記記録媒体で生じた回折光が受光素子によって検出されるホログラフィック光情報記録再生装置であって、前記空間光変調素子からの光を前記記録媒体上に導く記録用レンズと、前記記録媒体からの回折光を再生信号光として前記受光素子に導く再生用レンズとをさらに備え、前記記録用レンズと前記再生用レンズとが略等しい歪曲収差を有する。
【０１９１】
本発明の他の態様に係る他のホログラフィック光情報記録再生装置は、コヒーレント光源と、前記コヒーレント光源からの光を分割するビーム分割手段とを有し、情報記録時には、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみが前記記録媒体に照射され、前記記録媒体で生じた回折光が受光素子によって検出されるホログラフィック光情報記録再生装置であって、前記記録媒体上に前記ホログラムを記録した後、前記信号光のみを遮断し、前記記録したホログラムからの回折光を前記受光素子で受光して前記ホログラムに記録した情報をベリファイする。
【０１９２】
本発明の他の態様に係る他のホログラフィック光情報記録再生装置は、コヒーレント光源と、前記コヒーレント光源からの光を分割するビーム分割手段とを有し、情報記録時には、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみが前記記録媒体に照射され、前記記録媒体で生じた回折光が受光素子によって検出されるホログラフィック光情報記録再生装置であって、前記記録媒体上にホログラムを記録した後、前記記録媒体上において、ホログラムが記録されており、かつ多重記録が飽和していない場所にほぼ限定して前記コヒーレント光源からの光を照射し、前記記録媒体の記録材料を完全に飽和露光された状態にする。
【０１９３】
本発明の他の態様に係る他のホログラフィック光情報記録再生装置は、コヒーレント光源と、前記コヒーレント光源からの光を分割するビーム分割手段とを有し、情報記録時には、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみが前記記録媒体に照射され、前記記録媒体で生じた回折光が受光素子によって検出されるホログラフィック光情報記録再生装置であって、前記受光素子の受光セルのピッチは、前記受光素子上の前記回折光のスポット列のピッチより小さくかつ１／２より大きい。
【０１９４】
本発明の他の態様に係る他のホログラフィック光情報記録再生装置は、コヒーレント光源と、前記コヒーレント光源からの光を分割するビーム分割手段とを有し、情報記録時には、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみが前記記録媒体に照射され、前記記録媒体で生じた回折光が受光素子によって検出されるホログラフィック光情報記録再生装置であって、前記受光素子の各受光セルの受光部分の長さは、前記受光素子の受光セルのピッチの６０％以上かつ９４％以下である。
【０１９５】
本発明の他の態様に係る他のホログラフィック光情報記録再生装置は、コヒーレント光源と、前記コヒーレント光源からの光を分割するビーム分割手段とを有し、情報記録時には、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみが前記記録媒体に照射され、前記記録媒体で生じた回折光が受光素子によって検出されるホログラフィック光情報記録再生装置であって、前記空間光変調素子の各セルの透過部分の長さは、前記空間光変調素子のセルのピッチの５５％以上かつ９２％以下である。
【０１９６】
本発明の他の態様に係る他のホログラフィック光情報記録再生装置は、コヒーレント光源と、前記コヒーレント光源からの光を分割するビーム分割手段とを有し、情報記録時には、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録され、情報再生時には、前記参照光のみが前記記録媒体に照射され、前記記録媒体で生じた回折光が受光素子によって検出されるホログラフィック光情報記録再生装置であって、前記空間光変調素子によって変調されたビーム列が入射する側の前記記録媒体の表面近傍に開口が設けられ、前記開口の大きさは、前記信号光が前記空間光変調素子の各セルを通過する際に回折された０次回折光のメインローブの０．５５倍以上０．９倍以下の範囲の光を通過させるように調整されている。
【０１９７】
本発明の他の態様に係る他のホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が受光素子によって検出されるステップとを含み、前記情報記録ステップは、前記空間光変調素子からの光を前記記録媒体上に導く記録用レンズの焦点距離を変化させるステップを含む。
【０１９８】
本発明の他の態様に係る他のホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が受光素子によって検出されるステップとを含み、前記情報記録ステップは、記録用レンズが前記空間光変調素子からの光を前記記録媒体上に導くステップを含み、前記情報再生ステップは、前記記録用レンズと略等しい歪曲収差を有する前記再生用レンズが前記記録媒体からの回折光を再生信号光として前記受光素子に導くステップを含む。
【０１９９】
本発明の他の態様に係る他のホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が受光素子によって検出されるステップと、前記記録媒体上に前記ホログラムを記録した後、前記信号光のみを遮断し、前記記録したホログラムからの回折光を前記受光素子で受光して前記ホログラムに記録した情報をベリファイするステップとを含む。
【０２００】
本発明の他の態様に係る他のホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が受光素子によって検出されるステップと、前記記録媒体上にホログラムを記録した後、前記記録媒体上において、ホログラムが記録されており、かつ多重記録が飽和していない場所にほぼ限定して前記コヒーレント光源からの光を照射し、前記記録媒体の記録材料を完全に飽和露光された状態にするステップとを含む。
【０２０１】
本発明の他の態様に係る他のホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が、当該回折光のスポット列のピッチより小さくかつ１／２より大きいピッチで受光セルが配列された受光素子によって検出されるステップとを含む。
【０２０２】
本発明の他の態様に係る他のホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が、各受光セルの受光部分の長さが前記受光セルのピッチの６０％以上かつ９４％以下である受光素子によって検出されるステップとを含む。
【０２０３】
本発明の他の態様に係る他のホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが、各セルの透過部分の長さが前記セルのピッチの５５％以上かつ９２％以下である空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が受光素子によって検出されるステップとを含む。
【０２０４】
本発明の他の態様に係る他のホログラフィック光情報記録再生方法は、コヒーレント光源と、前記コヒーレント光源からの光を分割するビーム分割手段とを有するホログラフィック光情報記録再生装置を用いたホログラフィック光情報記録再生方法であって、情報記録時に、前記ビーム分割手段によって分割された一方の光ビームが空間光変調素子によって変調されて配列されたビーム列となり、前記ビーム列が信号光となるとともに、前記ビーム分割手段によって分割された他方の光ビームが参照光となり、前記信号光と前記参照光とが記録媒体中で交差して干渉縞を生じ、前記干渉縞が前記記録媒体中にホログラムとして記録されるステップと、情報再生時に、前記参照光のみを前記記録媒体に照射し、前記記録媒体で生じた回折光が受光素子によって検出されるステップとを含み、前記情報記録ステップにおいて、前記空間光変調素子によって変調されたビーム列が入射する側の前記記録媒体の表面近傍に開口が設けられ、前記開口の大きさは、前記信号光が前記空間光変調素子の各セルを通過する際に回折された０次回折光のメインローブの０．５５倍以上０．９倍以下の範囲の光を通過させるように調整されている。
【０２０５】
本発明に係るホログラフィック光情報記録再生装置は、記録したホログラムの回折効率をモニタして記録密度や再生速度を変化させるという特徴を有し、計算機の外部記憶装置や、映像音響情報記憶装置等として有用である。
【０２０６】
本発明に係るホログラフィック光情報記録再生装置は、記録時の参照光と信号光のパワー比が５：１以上であるという特徴を有し、計算機の外部記憶装置や、映像音響情報記憶装置等として有用である。
【０２０７】
本発明に係るホログラフィック光情報記録再生装置は、可変倍率レンズを有し、計算機の外部記憶装置や、映像音響情報記憶装置等として有用である。
【０２０８】
本発明に係るホログラフィック光情報記録再生装置は、記録直後に記録データのベリファイを行うという特徴を有し、計算機の外部記憶装置や、映像音響情報記憶装置等として有用である。
【０２０９】
本発明に係るホログラフィック光情報記録再生装置は、定着工程で記録時より大きなパワー密度の光をホログラムディスクに照射し、短時間にかつより完全に残留モノマーを定着し、より安定なデータ記録を行うという特徴を有し、計算機の外部記憶装置や、映像音響情報記憶装置等として有用である。
【０２１０】
本発明に係るホログラフィック光情報記録再生装置は、受光部分がセルピッチより小さい２次元受光素子を有し、計算機の外部記憶装置や、映像音響情報記憶装置等として有用である。
【０２１１】
本発明に係るホログラフィック光情報記録再生装置は、開口部分がセルピッチより小さい空間光変調素子を有し、計算機の外部記憶装置や、映像音響情報記憶装置等として有用である。
【産業上の利用可能性】
【０２１２】
本発明に係るホログラフィック光情報記録再生装置は、再生時の参照光パワーが記録時のホログラムディスクへの入射パワーより大きいという特徴を有し、計算機の外部記憶装置や、映像音響情報記憶装置等として有用である。
【図面の簡単な説明】
【０２１３】
【図１】本発明の第１の実施の形態におけるホログラフィック光情報記録再生装置の概略構成図である。
【図２】図１に示すホログラフィック光情報記録再生装置においてホログラムディスク中にホログラムが多重化されて記録される状態を説明するための模式図である。
【図３】図１に示すホログラフィック光情報記録再生装置においてホログラムディスク上に多重化されたホログラムの状態を説明するための模式図である。
【図４】入射角に応じてホログラムディスク内で参照光のビーム強度が変化することを説明するための模式図である。
【図５】１−２変換符号方式を説明するための模式図である。
【図６】３−１６変換符号方式を説明するための模式図である。
【図７】本発明の第２の実施の形態のホログラフィック光情報記録再生装置の概略構成図である。
【図８】本発明の第３の実施の形態のホログラフィック光情報記録再生装置の概略構成図である。
【図９】本発明の第５の実施の形態のホログラフィック光情報記録再生装置に用いる２次元受光素子アレイの概略光学構成図である。
【図１０】図９に示す２次元受光素子アレイが再生信号光スポットを受光する状態を説明するための断面概念図である。
【図１１】本発明の第６の実施の形態のホログラフィック光情報記録再生装置に用いる空間光変調素子の概略光学構成図である。
【図１２】本発明の第６の実施の形態のホログラフィック光情報記録再生装置でのホログラム上での信号光の光強度分布の包絡線を示す図である。
【図１３】空間光変調素子の開口の形状の他の例を示す模式図である。
【図１４】空間光変調素子の開口の形状の他の例を示す模式図である。
【図１５】空間光変調素子の開口の形状の他の例を示す模式図である。
【図１６】他の空間光変調素子の断面構造を示す概略構成図である。
【図１７】本発明の第７の実施の形態のホログラフィック光情報記録再生装置におけるホログラム面付近の開口での信号光の光強度分布の包絡線を示す図である。
【図１８】本発明の第７の実施の形態のホログラフィック光情報記録再生装置においてホログラム面付近に開口を有する遮光部材を設置したときの２次元受光素子面上での再生信号光スポットの光強度分布を計算した結果を示す図である。
【図１９】本発明の第８の実施の形態のホログラフィック光情報記録再生装置に用いる２次元受光素子アレイの概略平面構成図である。
【図２０】従来のホログラフィック光情報記録再生装置の概略構成図である。
【図１】
0004790701.tif 000002
【図２】
0004790701.tif 000003
【図３】
0004790701.tif 000004
【図４】
0004790701.tif 000005
【図５】
0004790701.tif 000006
【図６】
0004790701.tif 000007
【図７】
0004790701.tif 000008
【図８】
0004790701.tif 000009
【図９】
0004790701.tif 000010
【図１０】
0004790701.tif 000011
【図１１】
0004790701.tif 000012
【図１２】
0004790701.tif 000013
【図１３】
0004790701.tif 000014
【図１４】
0004790701.tif 000015
【図１５】
0004790701.tif 000016
【図１６】
0004790701.tif 000017
【図１７】
0004790701.tif 000018
【図１８】
0004790701.tif 000019
【図１９】
0004790701.tif 000020
【図２０】
0004790701.tif 000021